(57)【要約】【課題】隠れ端末問題を解決し、尚かつ、晒し端末問題を低減することを可能とする無線通信システムを提供する。【解決手段】無線基地局（ＡＰ１）と、無線基地局（ＡＰ１）に帰属している複数の帰属無線端末装置（ＳＴＡ１〜３）と、を有し、無線基地局（ＡＰ１）は、帰属無線端末装置（ＳＴＡ１〜３）と、該帰属無線端末装置（ＳＴＡ１〜３）から最も距離が離れている他の帰属無線端末装置（ＳＴＡ１〜３）と、の間の電波受信電力を各帰属無線端末装置（ＳＴＡ１〜３）毎に特定する。そして、各帰属無線端末装置（ＳＴＡ１〜３）毎に特定した電波受信電力を、無線送信中の無線装置が存在するか否かの判断基準となるキャリアセンスレベルとして各帰属無線端末装置（ＳＴＡ１〜３）に設定する。【選択図】図１
2008017337.tif 000002
【特許請求の範囲】
【請求項１】
無線基地局と、前記無線基地局に帰属している複数の帰属無線端末装置と、を有して構成される無線通信システムであって、
前記無線基地局は、
帰属無線端末装置と、該帰属無線端末装置から最も距離が離れている他の帰属無線端末装置と、の間の電波受信電力を各帰属無線端末装置毎に特定する電波受信電力特定手段と、
前記電波受信電力特定手段により各帰属無線端末装置毎に特定した前記電波受信電力を、無線送信中の無線装置が存在するか否かの判断基準となるキャリアセンスレベルとして各帰属無線端末装置に設定する制御手段と、
を有することを特徴とする無線通信システム。
【請求項２】
前記電波受信電力特定手段は、
特定の帰属無線端末装置には、電波受信電力測定用の無線信号の送信を実行させ、前記特定の帰属無線端末装置以外の帰属無線端末装置には、前記特定の帰属無線端末装置から送信される電波受信電力測定用の無線信号の電波受信電力測定を実行させるための電波送信要求信号を、前記無線基地局と帰属している各帰属無線端末装置に送信する電波送信要求信号送信手段と、
各帰属無線端末装置において前記電波送信要求信号を受信した際に測定される電波受信電力と、前記電波受信電力測定を実行した際に測定される電波受信電力と、の複数の電波受信電力を、各帰属無線端末装置毎に収集する電波受信電力収集手段と、
前記電波受信電力収集手段により各帰属無線端末装置毎に収集した複数の電波受信電力の中から最小の電波受信電力を各帰属無線端末装置毎に選定する最小電波受信電力選定手段と、
を有することを特徴とする請求項１記載の無線通信システム。
【請求項３】
前記制御手段は、
前記電波受信電力を前記キャリアセンスレベルとして各帰属無線端末装置に設定させるためのキャリアセンスレベル設定信号を、前記各帰属無線端末装置に送信するキャリアセンスレベル設定信号送信手段を有し、
前記帰属無線端末装置は、
前記キャリアセンスレベル設定信号を受信した際に、前記電波受信電力を前記キャリアセンスレベルとして設定するキャリアセンスレベル設定手段を有することを特徴とする請求項１記載の無線通信システム。
【請求項４】
前記キャリアセンスレベル設定信号には、前記電波受信電力と、該電波受信電力をキャリアセンスレベルとして設定させる帰属無線端末装置を指定する端末装置情報と、が含まれており、
前記帰属無線端末装置は、
前記キャリアセンスレベル設定信号を受信した際に、前記キャリアセンスレベル設定信号に含まれる端末装置情報が、前記帰属無線端末装置に該当するか否かを判断し、前記端末装置情報が、前記帰属無線端末装置に該当すると判断した場合には、前記キャリアセンスレベル設定信号に含まれる前記電波受信電力を前記キャリアセンスレベルとして設定することを特徴とする請求項３記載の無線通信システム。
【請求項５】
前記帰属無線端末装置は、
前記電波送信要求信号を受信した際に、前記電波送信要求信号の電波受信電力を測定すると共に、特定の帰属無線端末装置に該当すると判断した場合には、電波受信電力測定用の無線信号の送信を行い、前記特定の帰属無線端末装置以外に該当すると判断した場合には、前記特定の帰属無線端末装置から送信される電波受信電力測定用の無線信号の電波受信電力測定を行う手段を有することを特徴とする請求項２記載の無線通信システム。
【請求項６】
前記電波受信電力収集手段は、
各帰属無線端末装置において前記電波送信要求信号を受信した際に測定される電波受信電力と、前記電波受信電力測定を行った際に測定される電波受信電力と、の複数の電波受信電力を、各帰属無線端末装置毎に収集するための電波受信電力送付要求信号を前記帰属無線端末装置に送信する電波受信電力送付要求信号送信手段を有し、
前記帰属無線端末装置は、
前記電波送信要求信号を受信した際に測定した電波受信電力と、前記電波受信電力測定を行った際に測定した電波受信電力と、の複数の電波受信電力を記憶する電波受信電力記憶手段と、
前記電波受信電力送付要求信号を前記無線基地局から受信した際に、前記電波受信電力記憶手段に記憶されている複数の電波受信電力を前記無線基地局に送付する電波受信電力送付応答信号送信手段と、
を有することを特徴とする請求項２記載の無線通信システム。
【請求項７】
無線基地局と、前記無線基地局に帰属している複数の帰属無線端末装置と、を有して構成される無線通信システムであって、
前記帰属無線端末装置は、
前記帰属無線端末装置から最も距離が離れている他の帰属無線端末装置との間の電波受信電力を特定する電波受信電力特定手段と、
前記電波受信電力特定手段により特定した電波受信電力を、無線送信中の無線装置が存在するか否かの判断基準となるキャリアセンスレベルとして設定する制御手段と、
を有することを特徴とする無線通信システム。
【請求項８】
前記無線基地局は、
前記電波受信電力を前記キャリアセンスレベルとして前記帰属無線端末装置に設定させるためのキャリアセンスレベル設定信号を、前記帰属無線端末装置に送信するキャリアセンスレベル設定信号送信手段を有し、
前記制御手段は、
前記キャリアセンスレベル設定信号を受信した際に、前記電波受信電力を前記キャリアセンスレベルとして設定することを特徴とする請求項７記載の無線通信システム。
【請求項９】
前記無線基地局は、
特定の帰属無線端末装置には、電波受信電力測定用の無線信号の送信を実行させ、前記特定の帰属無線端末装置以外の帰属無線端末装置には、前記特定の帰属無線端末装置から送信される電波受信電力測定用の無線信号の電波受信電力測定を実行させるための電波送信要求信号を、前記無線基地局と帰属している各帰属無線端末装置に送信する電波送信要求信号送信手段を有し、
前記電波受信電力特定手段は、
前記電波送信要求信号を受信した際に、前記電波送信要求信号の電波受信電力を測定すると共に、特定の帰属無線端末装置に該当すると判断した場合には、電波受信電力測定用の無線信号の送信を行い、前記特定の帰属無線端末装置以外に該当すると判断した場合には、前記特定の帰属無線端末装置から送信される電波受信電力測定用の無線信号の電波受信電力測定を行う手段と、
前記電波送信要求信号を受信した際に測定した電波受信電力と、前記電波受信電力測定を行った際に測定した電波受信電力と、の複数の電波受信電力の中から最小の電波受信電力を選定する最小電波受信電力選定手段と、
を有することを特徴とする請求項７記載の無線通信システム。
【請求項１０】
前記電波送信要求信号には、前記電波受信電力測定用の無線信号の送信を実行させる帰属無線端末装置を指定するための端末装置情報が含まれており、
前記帰属無線端末装置は、
前記電波送信要求信号を受信した際に、前記電波送信要求信号に含まれる端末装置情報が、前記帰属無線端末装置に該当するか否かを判断し、前記端末装置情報が、前記帰属無線端末装置に該当すると判断した場合には、特定の帰属無線端末装置に該当すると判断し、
前記端末装置情報が、前記帰属無線端末装置に該当しないと判断した場合には、前記特定の帰属無線端末装置以外に該当すると判断することを特徴とする請求項５または９記載の無線通信システム。
【請求項１１】
前記電波送信要求信号には、前記電波受信電力測定用の無線信号の送信、または、前記電波受信電力測定を実行させる時間を指定する指定時間情報が含まれており、
前記帰属無線端末装置は、
前記電波送信要求信号を受信した際に、前記特定の帰属無線端末装置に該当すると判断した場合には、前記電波送信要求信号に含まれる指定時間情報の時間だけ、前記電波受信電力測定用の無線信号の送信を行い、
前記特定の帰属無線端末装置以外に該当すると判断した場合には、前記電波送信要求信号に含まれる指定時間情報の時間だけ、前記電波受信電力測定を行うことを特徴とする請求項５または９記載の無線通信システム。
【請求項１２】
前記無線基地局は、
前記電波送信要求信号をブロードキャストにて送信することを特徴とする請求項２または９記載の無線通信システム。
【請求項１３】
前記帰属無線端末装置は、
前記電波受信電力測定用の無線信号をブロードキャストにて送信することを特徴とする請求項５または９記載の無線通信システム。
【請求項１４】
前記電波受信電力特定手段は、
前記無線基地局から最も距離が離れている帰属無線端末装置との間の電波受信電力と、各帰属無線端末装置と前記無線基地局との間の電波受信電力と、を加算した加算電波受信電力を各帰属無線端末装置毎に特定することを特徴とする請求項１記載の無線通信システム。
【請求項１５】
前記帰属無線端末装置は、
前記無線基地局との間の電波受信電力を測定する電波受信電力測定手段を有し、
前記電波受信電力特定手段は、
前記各帰属無線端末装置において測定した電波受信電力を各帰属無線端末装置から収集する電波受信電力収集手段と、
各帰属無線端末装置から収集した複数の電波受信電力の中から最小の電波受信電力を選定する最小電波受信電力選定手段と、を有し、
前記最小電波受信電力選定手段により選定した最小の電波受信電力を、前記無線基地局から最も距離が離れている帰属無線端末装置との間の電波受信電力とし、
前記電波受信電力収集手段により各帰属無線端末装置から収集した電波受信電力を、前記各帰属無線端末装置と前記無線基地局との間の電波受信電力とすることを特徴とする請求項１４記載の無線通信システム。
【請求項１６】
前記電波受信電力収集手段は、
前記各帰属無線端末装置の電波受信電力を収集するための電波受信電力送付要求信号を前記各帰属無線端末装置に送信する要求信号送信手段を有し、
前記帰属無線端末装置は、
前記電波受信電力送付要求信号を受信した際に、前記無線基地局との間の電波受信電力を測定し、該測定した電波受信電力を前記無線基地局に送付する電波受信電力送付応答信号送信手段を有することを特徴とする請求項１５記載の無線通信システム。
【請求項１７】
前記加算電波受信電力を前記キャリアセンスレベルとして各帰属無線端末装置に設定させるためのキャリアセンスレベル設定信号を、前記各帰属無線端末装置に送信するキャリアセンスレベル設定信号送信手段を有し、
前記帰属無線端末装置は、
前記キャリアセンスレベル設定信号を受信した際に、前記加算電波受信電力を前記キャリアセンスレベルとして設定するキャリアセンスレベル設定手段を有することを特徴とする請求項１４記載の無線通信システム。
【請求項１８】
前記キャリアセンスレベル設定信号には、前記加算電波受信電力と、該加算電波受信電力を前記キャリアセンスレベルとして設定させる帰属無線端末装置を指定する端末装置情報と、が含まれており、
前記帰属無線端末装置は、
前記キャリアセンスレベル設定信号を受信した際に、前記キャリアセンスレベル設定信号に含まれる端末装置情報が、前記帰属無線端末装置に該当するか否かを判断し、前記端末装置情報が、前記帰属無線端末装置に該当すると判断した場合には、前記キャリアセンスレベル設定信号に含まれる前記加算電波受信電力を前記キャリアセンスレベルとして設定することを特徴とする請求項１７記載の無線通信システム。
【請求項１９】
前記無線基地局は、
前記電波受信電力特定手段による前記特定を行うか否かを決定する決定手段を有し、
前記決定手段は、
前記無線基地局が新たな無線端末装置からの帰属要求を容認し、前記無線端末装置を帰属無線端末装置と認定した場合と、
前記無線基地局と既に帰属している帰属無線端末装置から受信する電波受信電力が変動したと判断した場合と、
前記無線基地局と既に帰属している帰属無線端末装置から受信する電波受信電力の変動量が所定の閾値以上に変動したと判断した場合と、
前記無線基地局と既に帰属している帰属無線端末装置の無線通信のエラー率が所定の閾値以上になったと判断した場合と、
の少なくとも１つの場合に、電波受信電力特定手段による前記特定を行うと決定することを特徴とする請求項１記載の無線通信システム。
【請求項２０】
前記無線通信のエラー率とは、ＰＥＲ（Packet Error Rate）率と、ＦＥＲ（Frame Error Rate）率と、ＢＥＲ（Bit Error Rate）率と、ＣＲＣ（Cyclic Redundancy Check）率と、ＦＣＳ（Frame Check Sequence）率と、の少なくとも１つであることを特徴とする請求項１９記載の無線通信システム。
【請求項２１】
前記最も距離が離れている他の帰属無線端末装置は、前記無線基地局と無線通信を行っている帰属無線端末装置であることを特徴とする請求項１または７記載の無線通信システム。
【請求項２２】
前記最も距離が離れている帰属無線端末装置は、前記無線基地局と無線通信を行っている帰属無線端末装置であることを特徴とする請求項１４記載の無線通信システム。
【請求項２３】
複数の無線端末装置と無線通信を行う無線基地局であって、
前記無線基地局に帰属している複数の帰属無線端末装置を管理する帰属無線端末装置管理手段と、
前記帰属無線端末装置と、該帰属無線端末装置から最も距離が離れている他の帰属無線端末装置と、の間の電波受信電力を、前記帰属無線端末装置管理手段に管理されている各帰属無線端末装置毎に特定する電波受信電力特定手段と、
前記電波受信電力特定手段により特定した電波受信電力を、無線送信中の無線装置が存在するか否かの判断基準となるキャリアセンスレベルとして各帰属無線端末装置に設定する制御手段と、
を有することを特徴とする無線基地局。
【請求項２４】
前記電波受信電力特定手段は、
特定の帰属無線端末装置には、電波受信電力測定用の無線信号の送信を実行させ、前記特定の帰属無線端末装置以外の帰属無線端末装置には、前記特定の帰属無線端末装置から送信される電波受信電力測定用の無線信号の電波受信電力測定を実行させるための電波送信要求信号を、前記帰属無線端末装置管理手段に管理されている各帰属無線端末装置に送信する電波送信要求信号送信手段と、
各帰属無線端末装置において前記電波送信要求信号を受信した際に測定される電波受信電力と、前記電波受信電力測定を実行した際に測定される電波受信電力と、の複数の電波受信電力を、各帰属無線端末装置毎に収集する電波受信電力収集手段と、
前記電波受信電力収集手段により各帰属無線端末装置毎に収集した複数の電波受信電力の中から最小の電波受信電力を各帰属無線端末装置毎に選定する最小電波受信電力選定手段と、
を有することを特徴とする請求項２３記載の無線基地局。
【請求項２５】
前記制御手段は、
前記電波受信電力を前記キャリアセンスレベルとして各帰属無線端末装置に設定させるためのキャリアセンスレベル設定信号を、前記各帰属無線端末装置に送信するキャリアセンスレベル設定信号送信手段を有することを特徴とする請求項２３記載の無線基地局。
【請求項２６】
前記電波送信要求信号をブロードキャストにて送信することを特徴とする請求項２４記載の無線基地局。
【請求項２７】
前記電波受信電力特定手段は、
前記無線基地局から最も距離が離れている帰属無線端末装置との間の電波受信電力と、各帰属無線端末装置と前記無線基地局との間の電波受信電力と、を加算した加算電波受信電力を各帰属無線端末装置毎に特定することを特徴とする請求項２３記載の無線基地局。
【請求項２８】
前記電波受信電力特定手段は、
前記各帰属無線端末装置において測定した電波受信電力を各帰属無線端末装置から収集する電波受信電力収集手段と、
各帰属無線端末装置から収集した複数の電波受信電力の中から最小の電波受信電力を選定する最小電波受信電力選定手段と、を有し、
前記最小電波受信電力選定手段により選定した最小の電波受信電力を、前記無線基地局から最も距離が離れている帰属無線端末装置との間の電波受信電力とし、
前記電波受信電力収集手段により各帰属無線端末装置から収集した電波受信電力を、前記各帰属無線端末装置と前記無線基地局との間の電波受信電力とすることを特徴とする請求項２７記載の無線基地局。
【請求項２９】
前記加算電波受信電力を前記キャリアセンスレベルとして各帰属無線端末装置に設定させるためのキャリアセンスレベル設定信号を、前記各帰属無線端末装置に送信するキャリアセンスレベル設定信号送信手段を有することを特徴とする請求項２７記載の無線基地局。
【請求項３０】
前記電波受信電力特定手段による前記特定を行うか否かを決定する決定手段を有し、
前記決定手段は、
前記無線基地局が新たな無線端末装置からの帰属要求を容認し、前記無線端末装置を帰属無線端末装置と認定した場合と、
前記無線基地局と既に帰属している帰属無線端末装置から受信する電波受信電力が変動したと判断した場合と、
前記無線基地局と既に帰属している帰属無線端末装置から受信する電波受信電力の変動量が所定の閾値以上に変動したと判断した場合と、
前記無線基地局と既に帰属している帰属無線端末装置の無線通信のエラー率が所定の閾値以上になったと判断した場合と、
の少なくとも１つの場合に、電波受信電力特定手段による前記特定を行うと決定することを特徴とする請求項２３または２７記載の無線基地局。
【請求項３１】
前記無線通信のエラー率とは、ＰＥＲ（Packet Error Rate）率と、ＦＥＲ（Frame Error Rate）率と、ＢＥＲ（Bit Error Rate）率と、ＣＲＣ（Cyclic Redundancy Check）率と、ＦＣＳ（Frame Check Sequence）率と、の少なくとも１つであることを特徴とする請求項３０記載の無線基地局。
【請求項３２】
前記最も距離が離れている他の帰属無線端末装置は、前記無線基地局と無線通信を行っている帰属無線端末装置であることを特徴とする請求項２３記載の無線基地局。
【請求項３３】
前記最も距離が離れている帰属無線端末装置は、前記無線基地局と無線通信を行っている帰属無線端末装置であることを特徴とする請求項２７記載の無線基地局。
【請求項３４】
無線基地局に帰属している無線端末装置であって、
前記無線端末装置から最も距離が離れている他の無線端末装置との間の電波受信電力を特定する電波受信電力特定手段と、
前記電波受信電力特定手段により特定した前記電波受信電力を、無線送信中の無線装置が存在するか否かの判断基準となるキャリアセンスレベルとして設定する制御手段と、
を有することを特徴とする無線端末装置。
【請求項３５】
前記制御手段は、
前記電波受信電力を前記キャリアセンスレベルとして前記無線端末装置に設定させるためのキャリアセンスレベル設定信号を、前記無線基地局から受信した際に、前記電波受信電力を前記キャリアセンスレベルとして設定することを特徴とする請求項３４記載の無線端末装置。
【請求項３６】
前記電波受信電力特定手段は、
特定の無線端末装置には、電波受信電力測定用の無線信号の送信を実行させ、前記特定の無線端末装置以外の無線端末装置には、前記特定の無線端末装置から送信される電波受信電力測定用の無線信号の電波受信電力測定を実行させるための電波送信要求信号を、前記無線基地局から受信した際に、前記電波送信要求信号の電波受信電力を測定すると共に、前記特定の無線端末装置に該当すると判断した場合には、電波受信電力測定用の無線信号の送信を行い、前記特定の無線端末装置以外に該当すると判断した場合には、前記特定の無線端末装置から送信される電波受信電力測定用の無線信号の電波受信電力測定を行う手段と、
前記電波送信要求信号を受信した際に測定した電波受信電力と、前記電波受信電力測定を行った際に測定した電波受信電力と、の複数の電波受信電力の中から最小の電波受信電力を選定する最小電波受信電力選定手段と、
を有することを特徴とする請求項３４記載の無線端末装置。
【請求項３７】
前記電波送信要求信号には、前記電波受信電力測定用の無線信号の送信を実行させる無線端末装置を指定するための端末装置情報が含まれており、
前記電波送信要求信号を受信した際に、前記電波送信要求信号に含まれる端末装置情報が、前記無線端末装置に該当するか否かを判断し、前記端末装置情報が、前記無線端末装置に該当すると判断した場合には、特定の無線端末装置に該当すると判断し、
前記端末装置情報が、前記無線端末装置に該当しないと判断した場合には、前記特定の無線端末装置以外に該当すると判断することを特徴とする請求項３６記載の無線端末装置。
【請求項３８】
前記電波送信要求信号には、前記電波受信電力測定用の無線信号の送信、または、前記電波受信電力測定を実行させる時間を指定する指定時間情報が含まれており、
前記電波送信要求信号を受信した際に、前記特定の無線端末装置に該当すると判断した場合には、前記電波送信要求信号に含まれる指定時間情報の時間だけ、前記電波受信電力測定用の無線信号の送信を行い、
前記特定の無線端末装置以外に該当すると判断した場合には、前記電波送信要求信号に含まれる指定時間情報の時間だけ、前記電波受信電力測定を行うことを特徴とする請求項３６記載の無線端末装置。
【請求項３９】
前記電波受信電力測定用の無線信号をブロードキャストにて送信することを特徴とする請求項３６記載の無線端末装置。
【請求項４０】
前記最も距離が離れている他の無線端末装置は、前記無線基地局と無線通信を行っている無線端末装置であることを特徴とする請求項３４記載の無線端末装置。
【請求項４１】
複数の無線端末装置と無線通信を行う無線基地局における通信制御方法であって、
前記無線基地局は、
前記無線基地局に帰属している複数の帰属無線端末装置を管理する帰属無線端末装置管理手段を有し、
前記帰属無線端末装置と、該帰属無線端末装置から最も距離が離れている他の帰属無線端末装置と、の間の電波受信電力を、前記帰属無線端末装置管理手段に管理されている各帰属無線端末装置毎に特定する電波受信電力特定工程と、
前記電波受信電力特定工程により特定した電波受信電力を、無線送信中の無線装置が存在するか否かの判断基準となるキャリアセンスレベルとして各帰属無線端末装置に設定する制御工程と、
を、前記無線基地局が行うことを特徴とする通信制御方法。
【請求項４２】
前記電波受信電力特定工程は、
特定の帰属無線端末装置には、電波受信電力測定用の無線信号の送信を実行させ、前記特定の帰属無線端末装置以外の帰属無線端末装置には、前記特定の帰属無線端末装置から送信される電波受信電力測定用の無線信号の電波受信電力測定を実行させるための電波送信要求信号を、前記帰属無線端末装置管理手段に管理されている各帰属無線端末装置に送信する電波送信要求信号送信工程と、
各帰属無線端末装置において前記電波送信要求信号を受信した際に測定される電波受信電力と、前記電波受信電力測定を実行した際に測定される電波受信電力と、の複数の電波受信電力を、各帰属無線端末装置毎に収集する電波受信電力収集工程と、
前記電波受信電力収集工程により各帰属無線端末装置毎に収集した複数の電波受信電力の中から最小の電波受信電力を各帰属無線端末装置毎に選定する最小電波受信電力選定工程と、
を有することを特徴とする請求項４１記載の通信制御方法。
【請求項４３】
前記制御工程は、
前記電波受信電力を前記キャリアセンスレベルとして各帰属無線端末装置に設定させるためのキャリアセンスレベル設定信号を、前記各帰属無線端末装置に送信するキャリアセンスレベル設定信号送信工程を有することを特徴とする請求項４１記載の通信制御方法。
【請求項４４】
前記電波送信要求信号をブロードキャストにて送信することを特徴とする請求項４２記載の通信制御方法。
【請求項４５】
前記電波受信電力特定工程は、
前記無線基地局から最も距離が離れている帰属無線端末装置との間の電波受信電力と、各帰属無線端末装置と前記無線基地局との間の電波受信電力と、を加算した加算電波受信電力を各帰属無線端末装置毎に特定することを特徴とする請求項４１記載の通信制御方法。
【請求項４６】
前記電波受信電力特定工程は、
前記各帰属無線端末装置において測定した電波受信電力を各帰属無線端末装置から収集する電波受信電力収集工程と、
各帰属無線端末装置から収集した複数の電波受信電力の中から最小の電波受信電力を選定する最小電波受信電力選定工程と、を有し、
前記最小電波受信電力選定工程により選定した最小の電波受信電力を、前記無線基地局から最も距離が離れている帰属無線端末装置との間の電波受信電力とし、
前記電波受信電力収集工程により各帰属無線端末装置から収集した電波受信電力を、前記各帰属無線端末装置と前記無線基地局との間の電波受信電力とすることを特徴とする請求項４５記載の通信制御方法。
【請求項４７】
前記加算電波受信電力を前記キャリアセンスレベルとして各帰属無線端末装置に設定させるためのキャリアセンスレベル設定信号を、前記各帰属無線端末装置に送信するキャリアセンスレベル設定信号送信工程を、前記無線基地局が行うことを特徴とする請求項４５記載の通信制御方法。
【請求項４８】
前記電波受信電力特定工程による前記特定を行うか否かを決定する決定工程を、前記無線基地局が行い、
前記決定工程は、
前記無線基地局が新たな無線端末装置からの帰属要求を容認し、前記無線端末装置を帰属無線端末装置と認定した場合と、
前記無線基地局と既に帰属している帰属無線端末装置から受信する電波受信電力が変動したと判断した場合と、
前記無線基地局と既に帰属している帰属無線端末装置から受信する電波受信電力の変動量が所定の閾値以上に変動したと判断した場合と、
前記無線基地局と既に帰属している帰属無線端末装置の無線通信のエラー率が所定の閾値以上になったと判断した場合と、
の少なくとも１つの場合に、電波受信電力特定工程による前記特定を行うと決定することを特徴とする請求項４１または４５記載の通信制御方法。
【請求項４９】
前記無線通信のエラー率とは、ＰＥＲ（Packet Error Rate）率と、ＦＥＲ（Frame Error Rate）率と、ＢＥＲ（Bit Error Rate）率と、ＣＲＣ（Cyclic Redundancy Check）率と、ＦＣＳ（Frame Check Sequence）率と、の少なくとも１つであることを特徴とする請求項４８記載の通信制御方法。
【請求項５０】
前記最も距離が離れている他の帰属無線端末装置は、前記無線基地局と無線通信を行っている帰属無線端末装置であることを特徴とする請求項４１記載の通信制御方法。
【請求項５１】
前記最も距離が離れている帰属無線端末装置は、前記無線基地局と無線通信を行っている帰属無線端末装置であることを特徴とする請求項４５記載の通信制御方法。
【請求項５２】
無線基地局に帰属している無線端末装置における通信制御方法であって、
前記無線端末装置から最も距離が離れている他の無線端末装置との間の電波受信電力を特定する電波受信電力特定工程と、
前記電波受信電力特定工程により特定した前記電波受信電力を、無線送信中の無線装置が存在するか否かの判断基準となるキャリアセンスレベルとして設定する制御工程と、
を、前記無線端末装置が行うことを特徴とする通信制御方法。
【請求項５３】
前記制御工程は、
前記電波受信電力を前記キャリアセンスレベルとして前記無線端末装置に設定させるためのキャリアセンスレベル設定信号を、前記無線基地局から受信した際に、前記電波受信電力を前記キャリアセンスレベルとして設定することを特徴とする請求項５２記載の通信制御方法。
【請求項５４】
前記電波受信電力特定工程は、
特定の無線端末装置には、電波受信電力測定用の無線信号の送信を実行させ、前記特定の無線端末装置以外の無線端末装置には、前記特定の無線端末装置から送信される電波受信電力測定用の無線信号の電波受信電力測定を実行させるための電波送信要求信号を、前記無線基地局から受信した際に、前記電波送信要求信号の電波受信電力を測定すると共に、前記特定の無線端末装置に該当すると判断した場合には、電波受信電力測定用の無線信号の送信を行い、前記特定の無線端末装置以外に該当すると判断した場合には、前記特定の無線端末装置から送信される電波受信電力測定用の無線信号の電波受信電力測定を行う工程と、
前記電波送信要求信号を受信した際に測定した電波受信電力と、前記電波受信電力測定を行った際に測定した電波受信電力と、の複数の電波受信電力の中から最小の電波受信電力を選定する最小電波受信電力選定工程と、
を有することを特徴とする請求項５２記載の通信制御方法。
【請求項５５】
前記電波送信要求信号には、前記電波受信電力測定用の無線信号の送信を実行させる無線端末装置を指定するための端末装置情報が含まれており、
前記電波送信要求信号を受信した際に、前記電波送信要求信号に含まれる端末装置情報が、前記無線端末装置に該当するか否かを判断し、前記端末装置情報が、前記無線端末装置に該当すると判断した場合には、特定の無線端末装置に該当すると判断し、
前記端末装置情報が、前記無線端末装置に該当しないと判断した場合には、前記特定の無線端末装置以外に該当すると判断することを特徴とする請求項５４記載の通信制御方法。
【請求項５６】
前記電波送信要求信号には、前記電波受信電力測定用の無線信号の送信、または、前記電波受信電力測定を実行させる時間を指定する指定時間情報が含まれており、
前記電波送信要求信号を受信した際に、前記特定の無線端末装置に該当すると判断した場合には、前記電波送信要求信号に含まれる指定時間情報の時間だけ、前記電波受信電力測定用の無線信号の送信を行い、
前記特定の無線端末装置以外に該当すると判断した場合には、前記電波送信要求信号に含まれる指定時間情報の時間だけ、前記電波受信電力測定を行うことを特徴とする請求項５４記載の通信制御方法。
【請求項５７】
前記電波受信電力測定用の無線信号をブロードキャストにて送信することを特徴とする請求項５４記載の通信制御方法。
【請求項５８】
前記最も距離が離れている他の無線端末装置は、前記無線基地局と無線通信を行っている無線端末装置であることを特徴とする請求項５２記載の通信制御方法。
【請求項５９】
複数の無線端末装置と無線通信を行う無線基地局において実行させる通信制御プログラムであって、
前記無線基地局は、
前記無線基地局に帰属している複数の帰属無線端末装置を管理する帰属無線端末装置管理手段を有し、
前記帰属無線端末装置と、該帰属無線端末装置から最も距離が離れている他の帰属無線端末装置と、の間の電波受信電力を、前記帰属無線端末装置管理手段に管理されている各帰属無線端末装置毎に特定する電波受信電力特定処理と、
前記電波受信電力特定処理により特定した電波受信電力を、無線送信中の無線装置が存在するか否かの判断基準となるキャリアセンスレベルとして各帰属無線端末装置に設定する制御処理と、
を、前記無線基地局に実行させることを特徴とする通信制御プログラム。
【請求項６０】
前記最も距離が離れている他の帰属無線端末装置は、前記無線基地局と無線通信を行っている帰属無線端末装置であることを特徴とする請求項５９記載の通信制御プログラム。
【請求項６１】
無線基地局に帰属している無線端末装置において実行させる通信制御プログラムであって、
前記無線端末装置から最も距離が離れている他の無線端末装置との間の電波受信電力を特定する電波受信電力特定処理と、
前記電波受信電力特定処理により特定した前記電波受信電力を、無線送信中の無線装置が存在するか否かの判断基準となるキャリアセンスレベルとして設定する制御処理と、
を、前記無線端末装置に実行させることを特徴とする通信制御プログラム。
【請求項６２】
前記最も距離が離れている他の無線端末装置は、前記無線基地局と無線通信を行っている無線端末装置であることを特徴とする請求項６１記載の通信制御プログラム。
【発明の詳細な説明】
【技術分野】
【０００１】
本発明は、無線基地局と、その無線基地局の受信電波到達範囲内に存在する無線端末装置と、を有して構成される無線通信システムに関し、特に、隠れ端末問題、晒し端末問題といった干渉問題を解消することを目的とした無線通信システム、無線基地局、無線端末装置、無線通信制御方法及び無線通信制御プログラムに関するものである。
【背景技術】
【０００２】
ＣＳＭＡ（Carrier Sense Multiple Access）／ＣＡ（Collision Avoidance）通信方式の無線通信は、他の無線端末装置が無線送信中であると判断した場合には、無線送信動作を行わず、他の全ての無線端末装置が無線送信中でないと判断した場合に、無線送信動作を行うことになる。なお、無線送信中であるか否かを判断するためには、各無線端末装置から受信した電波受信電力を測定し（キャリアセンスを行い）、その測定した電波受信電力が、無線端末装置に予め設定した電波受信電力の閾値（キャリアセンスレベル）以上であれば他の無線端末装置が無線送信中であると判断し、キャリアセンスレベル未満であれば、他の無線端末装置が無線送信中でないと判断する。
【０００３】
しかしながら、他の無線端末装置が無線送信中であっても、その無線送信中の無線端末装置から受信した電波受信電力がキャリアセンスレベル未満であれば、無線送信中でないと判断し、無線送信動作を行うことになり、無線衝突が発生し、データ通信が失敗するといった問題が生じる場合がある。この問題は、『隠れ端末問題』として既に世に知られている。
【０００４】
なお、上述した『隠れ端末問題』を解決するため、例えば、図１８に示すように、無線基地局（ＡＰ）を中心とし、無線基地局（ＡＰ）と無線端末装置（ＳＴＡ）とが無線通信可能な距離の最大値を半径（ｒ）とした円（セル）を考えた場合、無線端末装置（ＳＴＡ）間の距離（ｄ）が、そのセルの直径（２ｒ）になっても無線送信中であると各無線端末装置（ＳＴＡ）が判断できるように、無線端末装置（ＳＴＡ）間の距離（ｄ）が、セルの直径（２ｒ）と等しい距離の時に測定される電波受信電力（距離ｄ＝２ｒの電波受信電力）以下に、キャリアセンスレベルを予め無線端末装置（ＳＴＡ）に設定しておくという解決方法が既に世に提案されている。
【０００５】
また、本発明より先に出願された技術文献として、基地局にセクターアンテナを設け、異なるアンテナ素子に無線送信が同時に行われた場合、それぞれのアンテナ素子に送信した無線端末同士が隠れ端末の位置にあることを、基地局が確認し、隠れ端末位置にある無線端末の送信電力を上げるように基地局が制御することで、無線端末同士が互いの無線送信中を検知できるようにし、隠れ端末問題を解決する解決方法が開示された文献がある（例えば、特許文献１参照）。
【０００６】
また、親機と、該親機と通信可能な少なくとも１台の子機から構成される無線通信システムにおいて、前記親機は、少なくとも受信検知レベル（キャリアセンスレベル）が可変可能に受信を行うと共に送信機能をもつ親機無線通信手段と、前記親機無線通信手段が送信時にデータに付加する識別符号（ＩＤ）を記憶する親機ＩＤ記憶手段と、前記親機無線通信手段が受信した受信レベルを検出する子機受信レベル検出手段と、子機受信レベルに所定のマージンを付加する親機キャリアセンスレベル算出手段と、前記親機キャリアセンスレベル算出手段で算出されたレベルを前記親機無線通信手段に設定する親機キャリアセンスレベル設定手段と、親機無線通信手段からの受信データを解析する親機受信解析手段と、前記親機無線通信手段を送信状態にする親機送信制御手段と、前記送受信データなどの処理を行う親機制御手段とを備え、前記子機は、前記親機と送受信する子機無線通信手段と、前記子機無線通信手段が送信時にデータに付加する識別符号（ＩＤ）を記憶する子機ＩＤ記憶手段と、前記子機無線通信手段からの受信データを解析する子機受信解析手段と、前記子機無線通信手段にデータ送信の処理を行う子機送信制御手段と、前記送受信データなどの処理を行う子機制御手段と、を備え、親機がサポートしている子機以外の無線からの無線干渉を低減することを可能とする無線データ収集システムが開示された文献がある（例えば、特許文献２参照）。
【０００７】
また、アクセスポイントを介して無線通信端末と通信するホストコンピュータであって、アクセスポイント及び他のホストコンピュータとＬＡＮケーブルを介して通信する有線通信手段と、外部から伝搬する電波の干渉の程度、並びにアクセスポイント及び無線通信端末が出力する電波の干渉の程度を測定する電波干渉測定テストの実行を、他のホストコンピュータ、アクセスポイント及び無線通信端末に対して通知したとき、または他のホストコンピュータから電波干渉測定テストの実行を通知されたときに、他のホストコンピュータと連携して電波干渉測定テストを開始し、電波干渉測定テストが終了すると、アクセスポイント及び無線通信端末から測定情報を収集して、この測定情報及び他のホストコンピュータが収集した測定情報を、他のホストコンピュータと授受して、これらの測定情報に基づいてアクセスポイント及び無線通信端末の受信感度の最適値並びに送信出力の最適値を求めて、これらの最適値をアクセスポイント及び無線通信端末に設定する制御手段と、を備え、同時に複数の無線通信が行われる無線ＬＡＮ環境において、電波干渉の影響による速度低下を抑制できるホストコンピュータが開示された文献がある（例えば、特許文献３参照）。
【特許文献１】特開２００１−１５６７１０号公報
【特許文献２】特開２００４−１８６８６５号公報
【特許文献３】特開２００６−１４０４７号公報
【発明の開示】
【発明が解決しようとする課題】
【０００８】
しかしながら、上述した図１８を基に説明した解決方法や、特許文献１の解決方法では、以下の４つの問題点が発生することになる。
【０００９】
第１の問題点は、無線端末装置（ＳＴＡ）間の距離（ｄ）が、セルの直径（２ｒ）と等しい距離の時に測定される電波受信電力（距離ｄ＝２ｒの電波受信電力）以下に、キャリアセンスレベルを予め無線端末装置（ＳＴＡ）に設定しておくという解決方法では、『晒し端末問題』の発生確率が高くなってしまうことである。なお、『晒し端末問題』とは、キャリアセンスにより、他の無線端末装置が無線送信中であると判断する割合が高く、自無線端末装置が送信待ちとなる割合が高くなり、スループットが低下してしまうという問題である。
【００１０】
その理由は、無線端末装置（ＳＴＡ）間の距離（ｄ）が、セルの直径（２ｒ）と等しい距離の時に測定される電波受信電力（距離ｄ＝２ｒの電波受信電力）以下に、キャリアセンスレベルを予め無線端末装置に設定することになるため、自無線端末装置（ＳＴＡ）を中心とした半径２ｒの円といった大きい面積内に存在する全ての無線端末装置がキャリアセンス対象となり、送信待ちの原因となる無線端末装置の存在確率が高くなってしまうためである。
【００１１】
第２の問題点は、既定のキャリアセンスレベルを予め無線端末装置に設定しておくという解決方法では、『隠れ端末問題』が発生してしまう場合がある。
【００１２】
その理由は、電波受信電力は、無線環境に応じて変動し易いため、無線端末装置に予め設定したキャリアセンスレベルが、実際の電波受信電力に比べて小さい場合には、無線送信中であると判断することがないため、無線衝突が発生してしまう場合があるためである。
【００１３】
第３の問題点は、上述した特許文献１に開示されている無線端末装置の送信電力を上げるという解決方法では、上述した『隠れ端末問題』を解決できない場合がある。
【００１４】
その理由は、セクターアンテナの各アンテナ素子における電波受信電力を基に、隠れ端末関係にある無線端末装置間の距離を推定し、隠れ端末とならないように無線端末装置の送信電力を上げる制御を行っても、その無線端末装置間の無線伝搬状況を把握できないため、適切な送信電力値に設定できているか分からないためである。また、送信電力の上限値で送信しているにも拘らず、隠れ端末となっている場合には、上限値以上に送信電力を設定できないためである。
【００１５】
第４の問題点は、上述した特許文献１に開示されているセクターアンテナを使用するという解決方法では、上述した『隠れ端末問題』を解決できない場合がある。
【００１６】
その理由は、セクターアンテナの同じアンテナ素子で受信される複数の無線端末装置が同時に送信している場合、どの無線端末装置が送信を行っているかを識別できないためである。
【００１７】
また、上記特許文献２、３は、『隠れ端末問題』や『晒し端末問題』を解決する手段については何ら考慮されたものではない。
【００１８】
本発明は、上記事情に鑑みてなされたものであり、上述した『隠れ端末問題』を解決し、尚かつ、『晒し端末問題』を低減することを可能とする無線通信システム、無線基地局、無線端末装置、無線通信制御方法及び無線通信制御プログラムを提供することを目的とするものである。
【課題を解決するための手段】
【００１９】
かかる目的を達成するために、本発明は以下の特徴を有することとする。
【００２０】
本発明にかかる無線通信システムは、無線基地局と、無線基地局に帰属している複数の帰属無線端末装置と、を有して構成される無線通信システムであって、無線基地局は、帰属無線端末装置と、該帰属無線端末装置から最も距離が離れている他の帰属無線端末装置と、の間の電波受信電力を各帰属無線端末装置毎に特定する電波受信電力特定手段と、電波受信電力特定手段により各帰属無線端末装置毎に特定した電波受信電力を、無線送信中の無線装置が存在するか否かの判断基準となるキャリアセンスレベルとして各帰属無線端末装置に設定する制御手段と、を有することを特徴とするものである。
【００２１】
また、本発明にかかる無線通信システムにおいて、電波受信電力特定手段は、特定の帰属無線端末装置には、電波受信電力測定用の無線信号の送信を実行させ、特定の帰属無線端末装置以外の帰属無線端末装置には、特定の帰属無線端末装置から送信される電波受信電力測定用の無線信号の電波受信電力測定を実行させるための電波送信要求信号を、無線基地局と帰属している各帰属無線端末装置に送信する電波送信要求信号送信手段と、各帰属無線端末装置において電波送信要求信号を受信した際に測定される電波受信電力と、電波受信電力測定を実行した際に測定される電波受信電力と、の複数の電波受信電力を、各帰属無線端末装置毎に収集する電波受信電力収集手段と、電波受信電力収集手段により各帰属無線端末装置毎に収集した複数の電波受信電力の中から最小の電波受信電力を各帰属無線端末装置毎に選定する最小電波受信電力選定手段と、を有することを特徴とするものである。
【００２２】
また、本発明にかかる無線通信システムにおいて、制御手段は、電波受信電力をキャリアセンスレベルとして各帰属無線端末装置に設定させるためのキャリアセンスレベル設定信号を、各帰属無線端末装置に送信するキャリアセンスレベル設定信号送信手段を有し、帰属無線端末装置は、キャリアセンスレベル設定信号を受信した際に、電波受信電力をキャリアセンスレベルとして設定するキャリアセンスレベル設定手段を有することを特徴とするものである。
【００２３】
また、本発明にかかる無線通信システムにおいて、キャリアセンスレベル設定信号には、電波受信電力と、該電波受信電力をキャリアセンスレベルとして設定させる帰属無線端末装置を指定する端末装置情報と、が含まれており、帰属無線端末装置は、キャリアセンスレベル設定信号を受信した際に、キャリアセンスレベル設定信号に含まれる端末装置情報が、帰属無線端末装置に該当するか否かを判断し、端末装置情報が、帰属無線端末装置に該当すると判断した場合には、キャリアセンスレベル設定信号に含まれる電波受信電力をキャリアセンスレベルとして設定することを特徴とするものである。
【００２４】
また、本発明にかかる無線通信システムにおいて、帰属無線端末装置は、電波送信要求信号を受信した際に、電波送信要求信号の電波受信電力を測定すると共に、特定の帰属無線端末装置に該当すると判断した場合には、電波受信電力測定用の無線信号の送信を行い、特定の帰属無線端末装置以外に該当すると判断した場合には、特定の帰属無線端末装置から送信される電波受信電力測定用の無線信号の電波受信電力測定を行う手段を有することを特徴とするものである。
【００２５】
また、本発明にかかる無線通信システムにおいて、電波受信電力収集手段は、各帰属無線端末装置において電波送信要求信号を受信した際に測定される電波受信電力と、電波受信電力測定を行った際に測定される電波受信電力と、の複数の電波受信電力を、各帰属無線端末装置毎に収集するための電波受信電力送付要求信号を帰属無線端末装置に送信する電波受信電力送付要求信号送信手段を有し、帰属無線端末装置は、電波送信要求信号を受信した際に測定した電波受信電力と、電波受信電力測定を行った際に測定した電波受信電力と、の複数の電波受信電力を記憶する電波受信電力記憶手段と、電波受信電力送付要求信号を無線基地局から受信した際に、電波受信電力記憶手段に記憶されている複数の電波受信電力を無線基地局に送付する電波受信電力送付応答信号送信手段と、を有することを特徴とするものである。
【００２６】
また、本発明にかかる無線通信システムは、無線基地局と、無線基地局に帰属している複数の帰属無線端末装置と、を有して構成される無線通信システムであって、帰属無線端末装置は、帰属無線端末装置から最も距離が離れている他の帰属無線端末装置との間の電波受信電力を特定する電波受信電力特定手段と、電波受信電力特定手段により特定した電波受信電力を、無線送信中の無線装置が存在するか否かの判断基準となるキャリアセンスレベルとして設定する制御手段と、を有することを特徴とするものである。
【００２７】
また、本発明にかかる無線通信システムにおいて、無線基地局は、電波受信電力をキャリアセンスレベルとして帰属無線端末装置に設定させるためのキャリアセンスレベル設定信号を、帰属無線端末装置に送信するキャリアセンスレベル設定信号送信手段を有し、制御手段は、キャリアセンスレベル設定信号を受信した際に、電波受信電力をキャリアセンスレベルとして設定することを特徴とするものである。
【００２８】
また、本発明にかかる無線通信システムにおいて、無線基地局は、特定の帰属無線端末装置には、電波受信電力測定用の無線信号の送信を実行させ、特定の帰属無線端末装置以外の帰属無線端末装置には、特定の帰属無線端末装置から送信される電波受信電力測定用の無線信号の電波受信電力測定を実行させるための電波送信要求信号を、無線基地局と帰属している各帰属無線端末装置に送信する電波送信要求信号送信手段を有し、電波受信電力特定手段は、電波送信要求信号を受信した際に、電波送信要求信号の電波受信電力を測定すると共に、特定の帰属無線端末装置に該当すると判断した場合には、電波受信電力測定用の無線信号の送信を行い、特定の帰属無線端末装置以外に該当すると判断した場合には、特定の帰属無線端末装置から送信される電波受信電力測定用の無線信号の電波受信電力測定を行う手段と、電波送信要求信号を受信した際に測定した電波受信電力と、電波受信電力測定を行った際に測定した電波受信電力と、の複数の電波受信電力の中から最小の電波受信電力を選定する最小電波受信電力選定手段と、を有することを特徴とするものである。
【００２９】
また、本発明にかかる無線通信システムにおいて、電波送信要求信号には、電波受信電力測定用の無線信号の送信を実行させる帰属無線端末装置を指定するための端末装置情報が含まれており、帰属無線端末装置は、電波送信要求信号を受信した際に、電波送信要求信号に含まれる端末装置情報が、帰属無線端末装置に該当するか否かを判断し、端末装置情報が、帰属無線端末装置に該当すると判断した場合には、特定の帰属無線端末装置に該当すると判断し、端末装置情報が、帰属無線端末装置に該当しないと判断した場合には、特定の帰属無線端末装置以外に該当すると判断することを特徴とするものである。
【００３０】
また、本発明にかかる無線通信システムにおいて、電波送信要求信号には、電波受信電力測定用の無線信号の送信、または、電波受信電力測定を実行させる時間を指定する指定時間情報が含まれており、帰属無線端末装置は、電波送信要求信号を受信した際に、特定の帰属無線端末装置に該当すると判断した場合には、電波送信要求信号に含まれる指定時間情報の時間だけ、電波受信電力測定用の無線信号の送信を行い、特定の帰属無線端末装置以外に該当すると判断した場合には、電波送信要求信号に含まれる指定時間情報の時間だけ、電波受信電力測定を行うことを特徴とするものである。
【００３１】
また、本発明にかかる無線通信システムにおいて、無線基地局は、電波送信要求信号をブロードキャストにて送信することを特徴とするものである。
【００３２】
また、本発明にかかる無線通信システムにおいて、帰属無線端末装置は、電波受信電力測定用の無線信号をブロードキャストにて送信することを特徴とするものである。
【００３３】
また、本発明にかかる無線通信システムにおいて、電波受信電力特定手段は、無線基地局から最も距離が離れている帰属無線端末装置との間の電波受信電力と、各帰属無線端末装置と無線基地局との間の電波受信電力と、を加算した加算電波受信電力を各帰属無線端末装置毎に特定することを特徴とするものである。
【００３４】
また、本発明にかかる無線通信システムにおいて、帰属無線端末装置は、無線基地局との間の電波受信電力を測定する電波受信電力測定手段を有し、電波受信電力特定手段は、各帰属無線端末装置において測定した電波受信電力を各帰属無線端末装置から収集する電波受信電力収集手段と、各帰属無線端末装置から収集した複数の電波受信電力の中から最小の電波受信電力を選定する最小電波受信電力選定手段と、を有し、最小電波受信電力選定手段により選定した最小の電波受信電力を、無線基地局から最も距離が離れている帰属無線端末装置との間の電波受信電力とし、電波受信電力収集手段により各帰属無線端末装置から収集した電波受信電力を、各帰属無線端末装置と無線基地局との間の電波受信電力とすることを特徴とするものである。
【００３５】
また、本発明にかかる無線通信システムにおいて、電波受信電力収集手段は、各帰属無線端末装置の電波受信電力を収集するための電波受信電力送付要求信号を各帰属無線端末装置に送信する要求信号送信手段を有し、帰属無線端末装置は、電波受信電力送付要求信号を受信した際に、無線基地局との間の電波受信電力を測定し、該測定した電波受信電力を無線基地局に送付する電波受信電力送付応答信号送信手段を有することを特徴とするものである。
【００３６】
また、本発明にかかる無線通信システムは、加算電波受信電力をキャリアセンスレベルとして各帰属無線端末装置に設定させるためのキャリアセンスレベル設定信号を、各帰属無線端末装置に送信するキャリアセンスレベル設定信号送信手段を有し、帰属無線端末装置は、キャリアセンスレベル設定信号を受信した際に、加算電波受信電力をキャリアセンスレベルとして設定するキャリアセンスレベル設定手段を有することを特徴とするものである。
【００３７】
また、本発明にかかる無線通信システムにおいて、キャリアセンスレベル設定信号には、加算電波受信電力と、該加算電波受信電力をキャリアセンスレベルとして設定させる帰属無線端末装置を指定する端末装置情報と、が含まれており、帰属無線端末装置は、キャリアセンスレベル設定信号を受信した際に、キャリアセンスレベル設定信号に含まれる端末装置情報が、帰属無線端末装置に該当するか否かを判断し、端末装置情報が、帰属無線端末装置に該当すると判断した場合には、キャリアセンスレベル設定信号に含まれる加算電波受信電力をキャリアセンスレベルとして設定することを特徴とするものである。
【００３８】
また、本発明にかかる無線通信システムにおいて、無線基地局は、電波受信電力特定手段による特定を行うか否かを決定する決定手段を有し、決定手段は、無線基地局が新たな無線端末装置からの帰属要求を容認し、無線端末装置を帰属無線端末装置と認定した場合と、無線基地局と既に帰属している帰属無線端末装置から受信する電波受信電力が変動したと判断した場合と、無線基地局と既に帰属している帰属無線端末装置から受信する電波受信電力の変動量が所定の閾値以上に変動したと判断した場合と、無線基地局と既に帰属している帰属無線端末装置の無線通信のエラー率が所定の閾値以上になったと判断した場合と、の少なくとも１つの場合に、電波受信電力特定手段による特定を行うと決定することを特徴とするものである。
【００３９】
また、本発明にかかる無線通信システムにおいて、無線通信のエラー率とは、ＰＥＲ（Packet Error Rate）率と、ＦＥＲ（Frame Error Rate）率と、ＢＥＲ（Bit Error Rate）率と、ＣＲＣ（Cyclic Redundancy Check）率と、ＦＣＳ（Frame Check Sequence）率と、の少なくとも１つであることを特徴とするものである。
【００４０】
また、本発明にかかる無線通信システムにおいて、最も距離が離れている他の帰属無線端末装置は、無線基地局と無線通信を行っている帰属無線端末装置であることを特徴とするものである。
【００４１】
また、本発明にかかる無線通信システムにおいて、最も距離が離れている帰属無線端末装置は、無線基地局と無線通信を行っている帰属無線端末装置であることを特徴とするものである。
【００４２】
また、本発明にかかる無線基地局は、複数の無線端末装置と無線通信を行う無線基地局であって、無線基地局に帰属している複数の帰属無線端末装置を管理する帰属無線端末装置管理手段と、帰属無線端末装置と、該帰属無線端末装置から最も距離が離れている他の帰属無線端末装置と、の間の電波受信電力を、帰属無線端末装置管理手段に管理されている各帰属無線端末装置毎に特定する電波受信電力特定手段と、電波受信電力特定手段により特定した電波受信電力を、無線送信中の無線装置が存在するか否かの判断基準となるキャリアセンスレベルとして各帰属無線端末装置に設定する制御手段と、を有することを特徴とするものである。
【００４３】
また、本発明にかかる無線基地局において、電波受信電力特定手段は、特定の帰属無線端末装置には、電波受信電力測定用の無線信号の送信を実行させ、特定の帰属無線端末装置以外の帰属無線端末装置には、特定の帰属無線端末装置から送信される電波受信電力測定用の無線信号の電波受信電力測定を実行させるための電波送信要求信号を、帰属無線端末装置管理手段に管理されている各帰属無線端末装置に送信する電波送信要求信号送信手段と、各帰属無線端末装置において電波送信要求信号を受信した際に測定される電波受信電力と、電波受信電力測定を実行した際に測定される電波受信電力と、の複数の電波受信電力を、各帰属無線端末装置毎に収集する電波受信電力収集手段と、電波受信電力収集手段により各帰属無線端末装置毎に収集した複数の電波受信電力の中から最小の電波受信電力を各帰属無線端末装置毎に選定する最小電波受信電力選定手段と、を有することを特徴とするものである。
【００４４】
また、本発明にかかる無線基地局において、制御手段は、電波受信電力をキャリアセンスレベルとして各帰属無線端末装置に設定させるためのキャリアセンスレベル設定信号を、各帰属無線端末装置に送信するキャリアセンスレベル設定信号送信手段を有することを特徴とするものである。
【００４５】
また、本発明にかかる無線基地局は、電波送信要求信号をブロードキャストにて送信することを特徴とするものである。
【００４６】
また、本発明にかかる無線基地局において、電波受信電力特定手段は、無線基地局から最も距離が離れている帰属無線端末装置との間の電波受信電力と、各帰属無線端末装置と無線基地局との間の電波受信電力と、を加算した加算電波受信電力を各帰属無線端末装置毎に特定することを特徴とするものである。
【００４７】
また、本発明にかかる無線基地局において、電波受信電力特定手段は、各帰属無線端末装置において測定した電波受信電力を各帰属無線端末装置から収集する電波受信電力収集手段と、各帰属無線端末装置から収集した複数の電波受信電力の中から最小の電波受信電力を選定する最小電波受信電力選定手段と、を有し、最小電波受信電力選定手段により選定した最小の電波受信電力を、無線基地局から最も距離が離れている帰属無線端末装置との間の電波受信電力とし、電波受信電力収集手段により各帰属無線端末装置から収集した電波受信電力を、各帰属無線端末装置と無線基地局との間の電波受信電力とすることを特徴とするものである。
【００４８】
また、本発明にかかる無線基地局は、加算電波受信電力をキャリアセンスレベルとして各帰属無線端末装置に設定させるためのキャリアセンスレベル設定信号を、各帰属無線端末装置に送信するキャリアセンスレベル設定信号送信手段を有することを特徴とするものである。
【００４９】
また、本発明にかかる無線基地局は、電波受信電力特定手段による特定を行うか否かを決定する決定手段を有し、決定手段は、無線基地局が新たな無線端末装置からの帰属要求を容認し、無線端末装置を帰属無線端末装置と認定した場合と、無線基地局と既に帰属している帰属無線端末装置から受信する電波受信電力が変動したと判断した場合と、無線基地局と既に帰属している帰属無線端末装置から受信する電波受信電力の変動量が所定の閾値以上に変動したと判断した場合と、無線基地局と既に帰属している帰属無線端末装置の無線通信のエラー率が所定の閾値以上になったと判断した場合と、の少なくとも１つの場合に、電波受信電力特定手段による特定を行うと決定することを特徴とするものである。
【００５０】
また、本発明にかかる無線基地局において、無線通信のエラー率とは、ＰＥＲ（Packet Error Rate）率と、ＦＥＲ（Frame Error Rate）率と、ＢＥＲ（Bit Error Rate）率と、ＣＲＣ（Cyclic Redundancy Check）率と、ＦＣＳ（Frame Check Sequence）率と、の少なくとも１つであることを特徴とするものである。
【００５１】
また、本発明にかかる無線基地局において、最も距離が離れている他の帰属無線端末装置は、無線基地局と無線通信を行っている帰属無線端末装置であることを特徴とするものである。
【００５２】
また、本発明にかかる無線基地局において、最も距離が離れている帰属無線端末装置は、無線基地局と無線通信を行っている帰属無線端末装置であることを特徴とするものである。
【００５３】
また、本発明にかかる無線端末装置は、無線基地局に帰属している無線端末装置であって、無線端末装置から最も距離が離れている他の無線端末装置との間の電波受信電力を特定する電波受信電力特定手段と、電波受信電力特定手段により特定した電波受信電力を、無線送信中の無線装置が存在するか否かの判断基準となるキャリアセンスレベルとして設定する制御手段と、を有することを特徴とするものである。
【００５４】
また、本発明にかかる無線端末装置において、制御手段は、電波受信電力をキャリアセンスレベルとして無線端末装置に設定させるためのキャリアセンスレベル設定信号を、無線基地局から受信した際に、電波受信電力をキャリアセンスレベルとして設定することを特徴とするものである。
【００５５】
また、本発明にかかる無線端末装置において、電波受信電力特定手段は、特定の無線端末装置には、電波受信電力測定用の無線信号の送信を実行させ、特定の無線端末装置以外の無線端末装置には、特定の無線端末装置から送信される電波受信電力測定用の無線信号の電波受信電力測定を実行させるための電波送信要求信号を、無線基地局から受信した際に、電波送信要求信号の電波受信電力を測定すると共に、特定の無線端末装置に該当すると判断した場合には、電波受信電力測定用の無線信号の送信を行い、特定の無線端末装置以外に該当すると判断した場合には、特定の無線端末装置から送信される電波受信電力測定用の無線信号の電波受信電力測定を行う手段と、電波送信要求信号を受信した際に測定した電波受信電力と、電波受信電力測定を行った際に測定した電波受信電力と、の複数の電波受信電力の中から最小の電波受信電力を選定する最小電波受信電力選定手段と、を有することを特徴とするものである。
【００５６】
また、本発明にかかる無線端末装置において、電波送信要求信号には、電波受信電力測定用の無線信号の送信を実行させる無線端末装置を指定するための端末装置情報が含まれており、電波送信要求信号を受信した際に、電波送信要求信号に含まれる端末装置情報が、無線端末装置に該当するか否かを判断し、端末装置情報が、無線端末装置に該当すると判断した場合には、特定の無線端末装置に該当すると判断し、端末装置情報が、無線端末装置に該当しないと判断した場合には、特定の無線端末装置以外に該当すると判断することを特徴とするものである。
【００５７】
また、本発明にかかる無線端末装置において、電波送信要求信号には、電波受信電力測定用の無線信号の送信、または、電波受信電力測定を実行させる時間を指定する指定時間情報が含まれており、電波送信要求信号を受信した際に、特定の無線端末装置に該当すると判断した場合には、電波送信要求信号に含まれる指定時間情報の時間だけ、電波受信電力測定用の無線信号の送信を行い、特定の無線端末装置以外に該当すると判断した場合には、電波送信要求信号に含まれる指定時間情報の時間だけ、電波受信電力測定を行うことを特徴とするものである。
【００５８】
また、本発明にかかる無線端末装置は、電波受信電力測定用の無線信号をブロードキャストにて送信することを特徴とするものである。
【００５９】
また、本発明にかかる無線端末装置において、最も距離が離れている他の無線端末装置は、無線基地局と無線通信を行っている無線端末装置であることを特徴とするものである。
【００６０】
また、本発明にかかる通信制御方法は、複数の無線端末装置と無線通信を行う無線基地局における通信制御方法であって、無線基地局は、無線基地局に帰属している複数の帰属無線端末装置を管理する帰属無線端末装置管理手段を有し、帰属無線端末装置と、該帰属無線端末装置から最も距離が離れている他の帰属無線端末装置と、の間の電波受信電力を、帰属無線端末装置管理手段に管理されている各帰属無線端末装置毎に特定する電波受信電力特定工程と、電波受信電力特定工程により特定した電波受信電力を、無線送信中の無線装置が存在するか否かの判断基準となるキャリアセンスレベルとして各帰属無線端末装置に設定する制御工程と、を、無線基地局が行うことを特徴とするものである。
【００６１】
また、本発明にかかる通信制御方法において、電波受信電力特定工程は、特定の帰属無線端末装置には、電波受信電力測定用の無線信号の送信を実行させ、特定の帰属無線端末装置以外の帰属無線端末装置には、特定の帰属無線端末装置から送信される電波受信電力測定用の無線信号の電波受信電力測定を実行させるための電波送信要求信号を、帰属無線端末装置管理手段に管理されている各帰属無線端末装置に送信する電波送信要求信号送信工程と、各帰属無線端末装置において電波送信要求信号を受信した際に測定される電波受信電力と、電波受信電力測定を実行した際に測定される電波受信電力と、の複数の電波受信電力を、各帰属無線端末装置毎に収集する電波受信電力収集工程と、電波受信電力収集工程により各帰属無線端末装置毎に収集した複数の電波受信電力の中から最小の電波受信電力を各帰属無線端末装置毎に選定する最小電波受信電力選定工程と、を有することを特徴とするものである。
【００６２】
また、本発明にかかる通信制御方法において、制御工程は、電波受信電力をキャリアセンスレベルとして各帰属無線端末装置に設定させるためのキャリアセンスレベル設定信号を、各帰属無線端末装置に送信するキャリアセンスレベル設定信号送信工程を有することを特徴とするものである。
【００６３】
また、本発明にかかる通信制御方法は、電波送信要求信号をブロードキャストにて送信することを特徴とするものである。
【００６４】
また、本発明にかかる通信制御方法において、電波受信電力特定工程は、無線基地局から最も距離が離れている帰属無線端末装置との間の電波受信電力と、各帰属無線端末装置と無線基地局との間の電波受信電力と、を加算した加算電波受信電力を各帰属無線端末装置毎に特定することを特徴とするものである。
【００６５】
また、本発明にかかる通信制御方法において、電波受信電力特定工程は、各帰属無線端末装置において測定した電波受信電力を各帰属無線端末装置から収集する電波受信電力収集工程と、各帰属無線端末装置から収集した複数の電波受信電力の中から最小の電波受信電力を選定する最小電波受信電力選定工程と、を有し、最小電波受信電力選定工程により選定した最小の電波受信電力を、無線基地局から最も距離が離れている帰属無線端末装置との間の電波受信電力とし、電波受信電力収集工程により各帰属無線端末装置から収集した電波受信電力を、各帰属無線端末装置と無線基地局との間の電波受信電力とすることを特徴とするものである。
【００６６】
また、本発明にかかる通信制御方法は、加算電波受信電力をキャリアセンスレベルとして各帰属無線端末装置に設定させるためのキャリアセンスレベル設定信号を、各帰属無線端末装置に送信するキャリアセンスレベル設定信号送信工程を、無線基地局が行うことを特徴とするものである。
【００６７】
また、本発明にかかる通信制御方法は、電波受信電力特定工程による特定を行うか否かを決定する決定工程を、無線基地局が行い、決定工程は、無線基地局が新たな無線端末装置からの帰属要求を容認し、無線端末装置を帰属無線端末装置と認定した場合と、無線基地局と既に帰属している帰属無線端末装置から受信する電波受信電力が変動したと判断した場合と、無線基地局と既に帰属している帰属無線端末装置から受信する電波受信電力の変動量が所定の閾値以上に変動したと判断した場合と、無線基地局と既に帰属している帰属無線端末装置の無線通信のエラー率が所定の閾値以上になったと判断した場合と、の少なくとも１つの場合に、電波受信電力特定工程による特定を行うと決定することを特徴とするものである。
【００６８】
また、本発明にかかる通信制御方法において、無線通信のエラー率とは、ＰＥＲ（Packet Error Rate）率と、ＦＥＲ（Frame Error Rate）率と、ＢＥＲ（Bit Error Rate）率と、ＣＲＣ（Cyclic Redundancy Check）率と、ＦＣＳ（Frame Check Sequence）率と、の少なくとも１つであることを特徴とするものである。
【００６９】
また、本発明にかかる通信制御方法において、最も距離が離れている他の帰属無線端末装置は、無線基地局と無線通信を行っている帰属無線端末装置であることを特徴とするものである。
【００７０】
また、本発明にかかる通信制御方法において、最も距離が離れている帰属無線端末装置は、無線基地局と無線通信を行っている帰属無線端末装置であることを特徴とするものである。
【００７１】
また、本発明にかかる通信制御方法は、無線基地局に帰属している無線端末装置における通信制御方法であって、無線端末装置から最も距離が離れている他の無線端末装置との間の電波受信電力を特定する電波受信電力特定工程と、電波受信電力特定工程により特定した電波受信電力を、無線送信中の無線装置が存在するか否かの判断基準となるキャリアセンスレベルとして設定する制御工程と、を、無線端末装置が行うことを特徴とするものである。
【００７２】
また、本発明にかかる通信制御方法において、制御工程は、電波受信電力をキャリアセンスレベルとして無線端末装置に設定させるためのキャリアセンスレベル設定信号を、無線基地局から受信した際に、電波受信電力をキャリアセンスレベルとして設定することを特徴とするものである。
【００７３】
また、本発明にかかる通信制御方法において、電波受信電力特定工程は、特定の無線端末装置には、電波受信電力測定用の無線信号の送信を実行させ、特定の無線端末装置以外の無線端末装置には、特定の無線端末装置から送信される電波受信電力測定用の無線信号の電波受信電力測定を実行させるための電波送信要求信号を、無線基地局から受信した際に、電波送信要求信号の電波受信電力を測定すると共に、特定の無線端末装置に該当すると判断した場合には、電波受信電力測定用の無線信号の送信を行い、特定の無線端末装置以外に該当すると判断した場合には、特定の無線端末装置から送信される電波受信電力測定用の無線信号の電波受信電力測定を行う工程と、電波送信要求信号を受信した際に測定した電波受信電力と、電波受信電力測定を行った際に測定した電波受信電力と、の複数の電波受信電力の中から最小の電波受信電力を選定する最小電波受信電力選定工程と、を有することを特徴とするものである。
【００７４】
また、本発明にかかる通信制御方法において、電波送信要求信号には、電波受信電力測定用の無線信号の送信を実行させる無線端末装置を指定するための端末装置情報が含まれており、電波送信要求信号を受信した際に、電波送信要求信号に含まれる端末装置情報が、無線端末装置に該当するか否かを判断し、端末装置情報が、無線端末装置に該当すると判断した場合には、特定の無線端末装置に該当すると判断し、端末装置情報が、無線端末装置に該当しないと判断した場合には、特定の無線端末装置以外に該当すると判断することを特徴とするものである。
【００７５】
また、本発明にかかる通信制御方法において、電波送信要求信号には、電波受信電力測定用の無線信号の送信、または、電波受信電力測定を実行させる時間を指定する指定時間情報が含まれており、電波送信要求信号を受信した際に、特定の無線端末装置に該当すると判断した場合には、電波送信要求信号に含まれる指定時間情報の時間だけ、電波受信電力測定用の無線信号の送信を行い、特定の無線端末装置以外に該当すると判断した場合には、電波送信要求信号に含まれる指定時間情報の時間だけ、電波受信電力測定を行うことを特徴とするものである。
【００７６】
また、本発明にかかる通信制御方法は、電波受信電力測定用の無線信号をブロードキャストにて送信することを特徴とするものである。
【００７７】
また、本発明にかかる通信制御方法において、最も距離が離れている他の無線端末装置は、無線基地局と無線通信を行っている無線端末装置であることを特徴とするものである。
【００７８】
また、本発明にかかる通信制御プログラムは、複数の無線端末装置と無線通信を行う無線基地局において実行させる通信制御プログラムであって、無線基地局は、無線基地局に帰属している複数の帰属無線端末装置を管理する帰属無線端末装置管理手段を有し、帰属無線端末装置と、該帰属無線端末装置から最も距離が離れている他の帰属無線端末装置と、の間の電波受信電力を、帰属無線端末装置管理手段に管理されている各帰属無線端末装置毎に特定する電波受信電力特定処理と、電波受信電力特定処理により特定した電波受信電力を、無線送信中の無線装置が存在するか否かの判断基準となるキャリアセンスレベルとして各帰属無線端末装置に設定する制御処理と、を、無線基地局に実行させることを特徴とするものである。
【００７９】
また、本発明にかかる通信制御プログラムにおいて、最も距離が離れている他の帰属無線端末装置は、無線基地局と無線通信を行っている帰属無線端末装置であることを特徴とするものである。
【００８０】
また、本発明にかかる通信制御プログラムは、無線基地局に帰属している無線端末装置において実行させる通信制御プログラムであって、無線端末装置から最も距離が離れている他の無線端末装置との間の電波受信電力を特定する電波受信電力特定処理と、電波受信電力特定処理により特定した電波受信電力を、無線送信中の無線装置が存在するか否かの判断基準となるキャリアセンスレベルとして設定する制御処理と、を、無線端末装置に実行させることを特徴とするものである。
【００８１】
また、本発明にかかる通信制御プログラムにおいて、最も距離が離れている他の無線端末装置は、無線基地局と無線通信を行っている無線端末装置であることを特徴とするものである。
【発明の効果】
【００８２】
本発明によれば、同一の無線基地局に帰属している帰属無線端末装置同士が隠れ端末にならない中で、できるだけ大きい電波受信電力をキャリアセンスレベルとして設定することが可能となるため、不必要に小さな電波受信電力で、不必要に広いエリアのキャリアセンスを行うことがないため、同一の無線基地局に帰属している帰属無線端末装置同士が隠れ端末になることを防ぎつつ、晒し端末問題も低減化することが可能となる。
【００８３】
また、無線基地局と、その無線基地局に帰属している帰属無線端末装置と、が存在する無線環境下において、隠れ端末を回避できる最適なキャリアセンスレベルに設定することになるため、無線障害物の影響など、無線環境下に応じて電波受信電力が異なっていても、隠れ端末問題を回避することが可能となる。
【発明を実施するための最良の形態】
【００８４】
まず、本実施形態における無線通信システムの第１の特徴について説明する。
【００８５】
本実施形態における無線通信システムは、図１に示すように、無線基地局（ＡＰ１）と、無線基地局（ＡＰ１）に帰属している複数の帰属無線端末装置（ＳＴＡ１〜３）と、を有して構成される。
【００８６】
そして、無線基地局（ＡＰ１）は、帰属無線端末装置（ＳＴＡ１〜３）と、該帰属無線端末装置（ＳＴＡ１〜３）から最も距離が離れている他の帰属無線端末装置（ＳＴＡ１〜３）と、の間の電波受信電力を各帰属無線端末装置（ＳＴＡ１〜３）毎に特定する。例えば、帰属無線端末装置がＳＴＡ１の場合には、帰属無線端末装置（ＳＴＡ１）と、該帰属無線端末装置（ＳＴＡ１）から最も距離が離れている他の帰属無線端末装置（ＳＴＡ３）と、の間の電波受信電力を特定することになる。そして、無線基地局（ＡＰ１）は、各帰属無線端末装置（ＳＴＡ１〜３）毎に特定した電波受信電力を、無線送信中の無線装置が存在するか否かの判断基準となるキャリアセンスレベルとして各帰属無線端末装置（ＳＴＡ１〜３）に設定することを特徴とする。
【００８７】
これにより、同一の無線基地局（ＡＰ１）に帰属している帰属無線端末装置（ＳＴＡ１〜３）同士が隠れ端末にならない中で、できるだけ大きい電波受信電力をキャリアセンスレベルとして設定することが可能となるため、不必要に小さな電波受信電力で、不必要に広いエリアのキャリアセンスを行うことがないため、同一の無線基地局（ＡＰ１）に帰属している帰属無線端末装置（ＳＴＡ１〜３）同士が隠れ端末になることを防ぎつつ、晒し端末問題も低減化することが可能となる。
【００８８】
また、無線基地局（ＡＰ１）と、その無線基地局（ＡＰ１）に帰属している帰属無線端末装置（ＳＴＡ１〜３）と、が存在する無線環境下において、隠れ端末を回避できる最適なキャリアセンスレベルに設定することになるため、無線障害物の影響など、無線環境下に応じて電波受信電力が異なっていても、隠れ端末問題を回避することが可能となる。
【００８９】
なお、上述した最も距離が離れている他の帰属無線端末装置（帰属無線端末装置がＳＴＡ１の場合には、ＳＴＡ３）は、上述した図１に示す無線基地局（ＡＰ１）と無線通信を行っている帰属無線端末装置（例えば、ＳＴＡ２）に変更することも可能である。この場合、無線基地局（ＡＰ１）が、その無線基地局（ＡＰ１）と帰属している各帰属無線端末装置（ＳＴＡ１〜３）の通信状態を取得し、該取得した各帰属無線端末装置（ＳＴＡ１〜３）の通信状態を基に、無線基地局（ＡＰ１）と無線通信を行っている帰属無線端末装置（例えば、ＳＴＡ２）を特定し、上述した最も距離が離れている他の帰属無線端末装置（ＳＴＡ３）を、無線基地局（ＡＰ１）と無線通信を行っている帰属無線端末装置（ＳＴＡ２）に変更し、その無線基地局（ＡＰ１）と無線通信を行っている帰属無線端末装置（ＳＴＡ２）との間の電波受信電力を基に、帰属無線端末装置（ＳＴＡ１）のキャリアセンスレベルを設定するように制御することになる。なお、無線基地局（ＡＰ１）と無線通信を行っている帰属無線端末装置（ＳＴＡ２）を特定する際の特定方法は、特に限定するものではなく、無線基地局（ＡＰ１）と無線通信を行っている帰属無線端末装置（ＳＴＡ２）を特定することが可能であれば、あらゆる方法を適用することは可能である。
【００９０】
次に、本実施形態における無線通信システムの第２の特徴について説明する。
【００９１】
本実施形態における無線通信システムは、図１１に示すように、無線基地局（ＡＰ２）と、その無線基地局（ＡＰ２）に帰属している複数の帰属無線端末装置（ＳＴＡ５〜７）と、を有して構成される。
【００９２】
そして、無線基地局（ＡＰ２）は、無線基地局（ＡＰ２）から最も距離が離れている帰属無線端末装置（例えば、ＳＴＡ７）との間の電波受信電力と、各帰属無線端末装置（ＳＴＡ５〜７）と無線基地局（ＡＰ２）との間の電波受信電力と、を加算した加算電波受信電力を各帰属無線端末装置（ＳＴＡ５〜７）毎に算出する。そして、無線基地局（ＡＰ２）は、各帰属無線端末装置（ＳＴＡ５〜７）毎に算出した加算電波受信電力を、無線送信中の無線装置が存在するか否かの判断基準となるキャリアセンスレベルとして各帰属無線端末装置（ＳＴＡ５〜７）に設定することを特徴とする。
【００９３】
これにより、同一の無線基地局（ＡＰ２）に帰属している帰属無線端末装置（ＳＴＡ５〜７）同士が隠れ端末にならない中で、できるだけ大きい電波受信電力をキャリアセンスレベルとして設定することが可能となるため、不必要に小さな電波受信電力で、不必要に広いエリアのキャリアセンスを行うことがないため、同一の無線基地局（ＡＰ２）に帰属している帰属無線端末装置（ＳＴＡ５〜７）同士が隠れ端末になることを防ぎつつ、晒し端末問題も低減化することが可能となる。
【００９４】
また、無線基地局（ＡＰ２）と、その無線基地局（ＡＰ２）に帰属している帰属無線端末装置（ＳＴＡ５〜７）と、が存在する無線環境下において、隠れ端末を回避できる最適なキャリアセンスレベルに設定することになるため、無線障害物の影響等、無線環境下に応じて、電波受信電力が異なっていても、隠れ端末問題を回避することが可能となる。
【００９５】
なお、上述した最も距離が離れている帰属無線端末装置（例えば、ＳＴＡ７）は、上述した図１１に示す無線基地局（ＡＰ２）と無線通信を行っている帰属無線端末装置（例えば、ＳＴＡ６）に変更することも可能である。この場合、無線基地局（ＡＰ２）が、その無線基地局（ＡＰ２）と帰属している各帰属無線端末装置（ＳＴＡ５〜７）の通信状態を取得し、該取得した各帰属無線端末装置（ＳＴＡ５〜７）の通信状態を基に、無線基地局（ＡＰ２）と無線通信を行っている帰属無線端末装置（例えば、ＳＴＡ６）を特定し、上述した最も距離が離れている帰属無線端末装置（例えば、ＳＴＡ７）を、無線基地局（ＡＰ２）と無線通信を行っている帰属無線端末装置（ＳＴＡ６）に変更し、その無線基地局（ＡＰ２）と無線通信を行っている帰属無線端末装置（ＳＴＡ６）との間の電波受信電力を基に、各帰属無線端末装置（ＳＴＡ５〜７）のキャリアセンスレベルを設定するように制御することになる。なお、無線基地局（ＡＰ２）と無線通信を行っている帰属無線端末装置（ＳＴＡ６）を特定する際の特定方法は、特に限定するものではなく、無線基地局（ＡＰ２）と無線通信を行っている帰属無線端末装置（ＳＴＡ６）を特定することが可能であれば、あらゆる方法を適用することは可能である。以下、添付図面を参照しながら、本実施形態における無線通信システムについて詳細に説明する。
【００９６】
（第１の実施形態）
まず、図１を参照しながら、本実施形態における無線通信システムのシステム構成について説明する。
【００９７】
本実施形態における無線通信システムは、図１に示すように、無線基地局（ＡＰ１）と、複数の無線端末装置（ＳＴＡ１〜３）と、を有して構成される。なお、図１では、複数の無線端末装置（ＳＴＡ１〜３）は、無線基地局（ＡＰ１）に帰属しているものとする。このため、無線基地局（ＡＰ１）は、無線基地局（ＡＰ１）に帰属している無線端末装置（ＳＴＡ１〜３）の情報を管理することが可能となる。
【００９８】
なお、図１に示す無線通信システムにおいて、無線基地局（ＡＰ１）−無線端末装置（ＳＴＡ１）間の距離をｒとし、無線端末装置（ＳＴＡ１）−無線端末装置（ＳＴＡ２）間の距離をｄ12とし、無線端末装置（ＳＴＡ１）−無線端末装置（ＳＴＡ３）間の距離をｄ13とする。
【００９９】
また、図１に示す無線通信システムにおいて、無線基地局（ＡＰ１）から最も距離が離れている無線端末装置は、無線端末装置（ＳＴＡ１）であり、無線端末装置（ＳＴＡ１）から最も距離が離れている無線端末装置は、無線端末装置（ＳＴＡ３）であり、無線端末装置（ＳＴＡ２）から最も距離が離れている無線端末装置は、無線端末装置（ＳＴＡ１）であり、無線端末装置（ＳＴＡ３）から最も距離が離れている無線端末装置は、無線端末装置（ＳＴＡ１）である。
【０１００】
＜無線基地局ＡＰ１の内部構成＞
次に、図２を参照しながら、図１に示す無線通信システムを構成する無線基地局（ＡＰ１）の内部構成について詳細に説明する。
【０１０１】
本実施形態における無線基地局（ＡＰ１）は、無線送信部（１００）と、無線受信部（１０１）と、電波受信電力測定部（１０２）と、制御部（１０３）と、電波受信電力記憶部（１０４）と、最小電波受信電力判定部（１０５）と、キャリアセンス部（１０６）と、キャリアセンスレベル設定部（１０７）と、を有して構成される。
【０１０２】
無線送信部（１００）は、無線基地局（ＡＰ１）から無線端末装置（ＳＴＡ１〜３）に送信する送信データを、無線信号に変換し、電波送信を行うための機能部である。
【０１０３】
無線受信部（１０１）は、無線端末装置（ＳＴＡ１〜３）から無線基地局（ＡＰ１）が受信した無線信号を、受信データに変換し、制御部（１０３）に送信するための機能部である。
【０１０４】
電波受信電力測定部（１０２）は、無線端末装置（ＳＴＡ１〜３）から無線基地局（ＡＰ１）が受信した無線信号の電波受信電力を測定するための機能部であり、無線端末装置（ＳＴＡ１〜３）から無線基地局（ＡＰ１）が受信した無線信号の電波が、無線基地局（ＡＰ１）において、どの程度の電力で受信されているかを測定することになる。
【０１０５】
制御部（１０３）は、無線基地局（ＡＰ１）の各機能を統括して制御するための機能部である。
【０１０６】
電波受信電力記憶部（１０４）は、無線基地局（ＡＰ１）−無線端末装置（ＳＴＡ１〜３）間の電波受信電力情報、無線端末装置（ＳＴＡ１〜３）間の電波受信電力情報を記憶するための機能部である。なお、電波受信電力記憶部（１０４）は、図３に示す管理テーブルを用いて電波受信電力情報を管理することになる。
【０１０７】
図３に示す管理テーブルは、各無線装置（無線基地局、無線端末装置）が、他の無線装置（無線基地局、無線端末装置）から受信した無線信号の電波受信電力を管理するためのものであり、例えば、無線基地局（ＡＰ１）は、無線端末装置（ＳＴＡ１）から受信した無線信号の電波受信電力が−６５ｄＢｍであり、無線端末装置（ＳＴＡ２）から受信した無線信号の電波受信電力が−５０ｄＢｍであり、無線端末装置（ＳＴＡ３）から受信した無線信号の電波受信電力が−６０ｄＢｍであることを示す電波受信電力情報を図３に示す管理テーブルにて管理することになる。また、無線端末装置（ＳＴＡ１）は、無線基地局（ＡＰ１）から受信した無線信号の電波受信電力が−６５ｄＢｍであり、無線端末装置（ＳＴＡ２）から受信した無線信号の電波受信電力が−６０ｄＢｍであり、無線端末装置（ＳＴＡ３）から受信した無線信号の電波受信電力が−７０ｄＢｍであることを示す電波受信電力情報を図３に示す管理テーブルにて管理することになる。
【０１０８】
このように、無線基地局（ＡＰ１）は、無線基地局（ＡＰ１）と、無線基地局（ＡＰ１）に帰属している各無線端末装置（ＳＴＡ１〜３）と、の電波受信電力情報を図３に示す管理テーブルにて管理することで、無線基地局（ＡＰ１）は、無線基地局（ＡＰ１）と、その無線基地局（ＡＰ１）に帰属している各無線端末装置（ＳＴＡ１〜３）と、の電波受信電力を把握することが可能となる。
【０１０９】
最小電波受信電力判定部（１０５）は、電波受信電力記憶部（１０４）に記憶した無線基地局（ＡＰ１）、及び、各無線端末装置（ＳＴＡ１〜３）の最小電波受信電力を判定するための機能部である。なお、最小電波受信電力判定部（１０５）は、図３に示す管理テーブルにて管理されている電波受信電力情報を基に、最小電波受信電力を判定することになり、例えば、無線基地局（ＡＰ１）は、無線端末装置（ＳＴＡ１）から受信した無線信号の電波受信電力が−６５ｄＢｍであり、無線端末装置（ＳＴＡ２）から受信した無線信号の電波受信電力が−５０ｄＢｍであり、無線端末装置（ＳＴＡ３）から受信した無線信号の電波受信電力が−６０ｄＢｍであるため、最小電波受信電力判定部（１０５）は、無線基地局（ＡＰ１）における最小電波受信電力は、−６５ｄＢｍと判定することになる。この判定結果は、無線基地局（ＡＰ１）における最小電波受信電力として電波受信電力記憶部（１０４）に格納され、図３に示す管理テーブルにて管理されることになる。
【０１１０】
キャリアセンス部（１０６）は、無線基地局（ＡＰ１）が無線送信を行う際に、他に同じ周波数の電波を送信している無線送信中の無線装置が存在するか否かを検出するための機能部である。なお、本実施形態における無線基地局（ＡＰ１）は、キャリアセンス部（１０６）の検出結果に応じてデータ送信を制御することになり、無線基地局（ＡＰ１）は、無線送信中の無線装置が存在する場合には、データ送信を停止し、無線送信中の無線装置が存在しない場合には、データ送信を行うことになる。これにより、無線衝突を回避しながら無線通信を行うことが可能となる。
【０１１１】
キャリアセンスレベル設定部（１０７）は、最小電波受信電力判定部（１０５）において判定した無線基地局（ＡＰ１）における最小電波受信電力を、無線基地局（ＡＰ１）のキャリアセンスレベルとしてキャリアセンス部（１０６）に設定するための機能部である。これにより、キャリアセンス部（１０６）は、キャリアセンスレベル設定部（１０７）により設定されたキャリアセンスレベルと、電波受信電力測定部（１０２）において測定した電波受信電力と、を比較し、電波受信電力測定部（１０２）において測定した電波受信電力がキャリアセンスレベル以上であれば、他に同じ周波数の電波を送信している無線送信中の無線装置が存在すると判断し、電波受信電力測定部（１０２）において測定した電波受信電力がキャリアセンスレベル未満であれば、他に同じ周波数の電波を送信している無線送信中の無線装置が存在しないと判断することになる。
【０１１２】
＜無線端末装置ＳＴＡ１〜３の内部構成＞
次に、図４を参照しながら、本実施形態における無線端末装置（ＳＴＡ１〜３）の内部構成について詳細に説明する。
【０１１３】
本実施形態における無線端末装置（ＳＴＡ１〜３）は、無線送信部（１０８）と、無線受信部（１０９）と、電波受信電力測定部（１１０）と、制御部（１１１）と、電波受信電力記憶部（１１２）と、キャリアセンス部（１１３）と、キャリアセンスレベル設定部（１１４）と、を有して構成される。
【０１１４】
無線送信部（１０８）は、無線端末装置（ＳＴＡ１〜３）から無線基地局（ＡＰ１）または他の無線端末装置（ＳＴＡ１〜３）に送信する送信データを、無線信号に変換し、電波送信を行うための機能部である。
【０１１５】
無線受信部（１０９）は、無線基地局（ＡＰ１）または他の無線端末装置（ＳＴＡ１〜３）から無線端末装置（ＳＴＡ１〜３）が受信した無線信号を、受信データに変換し、制御部（１１１）に送信するための機能部である。
【０１１６】
電波受信電力測定部（１１０）は、無線基地局（ＡＰ１）または他の無線端末装置（ＳＴＡ１〜３）から無線端末装置（ＳＴＡ１〜３）が受信した無線信号の電波受信電力を測定するための機能部であり、無線基地局（ＡＰ１）または他の無線端末装置（ＳＴＡ１〜３）から無線端末装置（ＳＴＡ１〜３）が受信した無線信号の電波が、無線端末装置（ＳＴＡ１〜３）において、どの程度の電力で受信されているかを測定することになる。
【０１１７】
制御部（１１１）は、無線無線端末（ＳＴＡ１〜３）の各機能を統括制御するための機能部である。
【０１１８】
電波受信電力記憶部（１１２）は、無線基地局（ＡＰ１）−無線端末装置（ＳＴＡ１〜３）間の電波受信電力情報、無線端末装置（ＳＴＡ１〜３）間の電波受信電力情報を記憶するための機能部である。
【０１１９】
キャリアセンス部（１１３）は、無線端末装置（ＳＴＡ１〜３）が無線送信を行う際に、他に同じ周波数の電波を送信している無線送信中の無線装置が存在するか否かを検出するための機能部である。なお、本実施形態における無線端末装置（ＳＴＡ１〜３）は、キャリアセンス部（１１３）の検出結果に応じてデータ送信を制御することになり、無線端末装置（ＳＴＡ１〜３）は、無線送信中の無線装置が存在する場合には、データ送信を停止し、無線送信中の無線装置が存在しない場合には、データ送信を行うことになる。これにより、無線衝突を回避しながら無線通信を行うことが可能となる。
【０１２０】
キャリアセンスレベル設定部（１１４）は、無線基地局（ＡＰ１）から通知された最小電波受信電力を、無線端末装置（ＳＴＡ１〜３）のキャリアセンスレベルとしてキャリアセンス部（１１３）に設定するための機能部である。これにより、キャリアセンス部（１１３）は、キャリアセンスレベル設定部（１１４）により設定されたキャリアセンスレベルと、電波受信電力測定部（１１０）において測定した電波受信電力と、を比較し、電波受信電力測定部（１１０）において測定した電波受信電力がキャリアセンスレベル以上であれば、他に同じ周波数の電波を送信している無線送信中の無線装置が存在すると判断し、電波受信電力測定部（１１０）において測定した電波受信電力がキャリアセンスレベル未満であれば、他に同じ周波数の電波を送信している無線送信中の無線装置が存在しないと判断することになる。
【０１２１】
次に、図５〜図７を参照しながら、図１に示す本実施形態の無線通信システムにおける一連の制御動作について説明する。なお、図５〜図７は、無線基地局（ＡＰ１）と無線端末装置（ＳＴＡ１〜３）とが連携し、キャリアセンスレベルを設定するまでの動作シーケンスを示す図である。まず、図５〜図７に示す動作シーケンスに用いられる各信号について説明する。
【０１２２】
Ｓ１、Ｓ６、Ｓ１１の電波送信要求信号は、電波受信電力測定用の無線信号（Ｓ２、Ｓ７、Ｓ１２の電波受信電力測定用信号）を各無線端末装置（ＳＴＡ１〜３）に送信させるための信号であり、無線基地局（ＡＰ１）が無線端末装置（ＳＴＡ１〜３）に送信する。
【０１２３】
なお、無線基地局（ＡＰ１）は、電波送信要求信号をブロードキャストで送信することになるため、１回の送信で無線基地局（ＡＰ１）に帰属している全ての無線端末装置（ＳＴＡ１〜３）が電波送信要求信号を受信することになる。また、電波送信要求信号には、電波受信電力測定用信号の送信を行う無線端末装置を指定するための無線端末アドレスが含まれており、電波送信要求信号を受信した各無線端末装置（ＳＴＡ１〜３）は、その電波送信要求信号に含まれる無線端末アドレスに該当する無線端末装置と判断した場合には、電波受信電力測定用信号の送信を実行することになり、無線端末アドレスに該当しない無線端末装置と判断した場合には、無線端末アドレスに該当する無線端末装置から送信される電波受信電力測定用信号の受信のみを行い、その受信した電波受信電力測定用信号の平均電波受信電力を算出し、その算出した平均電波受信電力と、電波受信電力測定用信号を送信した送信元の無線端末装置を特定するための送信元端末アドレスと、を関連づけて電波受信電力記憶部（１１２）に記憶する処理を実行することになる。
【０１２４】
また、電波送信要求信号には、指定時間が含まれており、無線端末アドレスに該当する無線端末装置は、電波送信要求信号を受信した後に、その指定時間だけ電波受信電力測定用信号の送信を実行することになり、無線端末アドレスに該当しない無線端末装置は、電波送信要求信号を受信した後に、その指定時間の間は、無線送信を行わず、電波受信電力測定用信号の受信のみを行い、その指定時間の間に受信した電波受信電力測定用信号の平均電波受信電力を算出することになる。
【０１２５】
Ｓ２、Ｓ７、Ｓ１２の電波受信電力測定用信号は、電波受信電力測定用の無線信号であり、各無線端末装置（ＳＴＡ１〜３）が送信する。
【０１２６】
なお、各無線端末装置（ＳＴＡ１〜３）は、電波受信電力測定用信号をブロードキャストで送信することになるため、１回の送信で無線基地局（ＡＰ１）及び電波受信電力測定用信号を送信した無線端末装置以外の他の全ての無線端末装置が電波受信電力測定用信号を受信することになる。また、電波受信電力測定用信号には、その電波受信電力測定用信号を送信した送信元の無線端末装置を特定するための送信元無線端末アドレスが含まれている。
【０１２７】
Ｓ１６、Ｓ１８、Ｓ２０の電波受信電力送付要求信号は、各無線端末装置（ＳＴＡ１〜３）が電波受信電力記憶部（１１２）に記憶した無線基地局（ＡＰ１）−無線端末装置（ＳＴＡ１〜３）間、及び、無線端末装置（ＳＴＡ１〜３）間の電波受信電力情報を収集するための信号であり、無線基地局（ＡＰ１）が無線端末装置（ＳＴＡ１〜３）に送信する。
【０１２８】
Ｓ１７、Ｓ１９、Ｓ２１の電波受信電力送付応答信号は、各無線端末装置（ＳＴＡ１〜３）がそれぞれ電波受信電力記憶部（１１２）に記憶した電波受信電力情報を、無線基地局（ＡＰ１）に送付するための信号であり、各無線端末装置（ＳＴＡ１〜３）が無線基地局（ＡＰ１）に送信する。
【０１２９】
Ｓ２３、Ｓ２５、Ｓ２７のキャリアセンスレベル設定信号は、無線基地局（ＡＰ１）が各無線端末装置（ＳＴＡ１〜３）毎に特定した最小電波受信電力を新しいキャリアセンスレベルとして各無線端末装置（ＳＴＡ１〜３）に設定するように指示するための信号であり、無線基地局（ＡＰ１）が各無線端末装置（ＳＴＡ１〜３）に送信する。なお、キャリアセンスレベル設定信号には、最小電波受信電力と、その最小電波受信電力を新しいキャリアセンスレベルとして設定する無線端末装置を指定するための無線端末アドレスと、が含まれており、キャリアセンスレベル設定信号を受信した各無線端末装置（ＳＴＡ１〜３）は、そのキャリアセンスレベル設定信号に含まれる無線端末アドレスに該当する無線端末装置と判断した場合に、そのキャリアセンスレベル設定信号に含まれる最小電波受信電力を、新しいキャリアセンスレベルとして設定することになる。
【０１３０】
次に、図５〜図７を参照しながら、本実施形態の無線通信システムにおいてキャリアセンスレベルを設定する際の一連の制御動作について詳細に説明する。
【０１３１】
まず、無線基地局（ＡＰ１）は、無線端末装置（ＳＴＡ１）を指定した無線端末アドレスと、指定時間と、の情報を含む電波送信要求信号を送信する（ステップＳ１）。
【０１３２】
電波送信要求信号を受信した無線端末装置（ＳＴＡ１）は、その電波送信要求信号に含まれる指定時間だけ、電波受信電力測定用信号の送信を実行することになる（ステップＳ２）。
【０１３３】
無線基地局（ＡＰ１）は、無線端末装置（ＳＴＡ１）から送信される電波受信電力測定用信号の電波受信電力を電波受信電力測定部（１０２）において測定し、その電波受信電力測定部（１０２）において測定した電波受信電力の平均電波受信電力を算出し、その算出した平均電波受信電力を、送信元無線端末アドレス（無線端末装置ＳＴＡ１）と、関連づけて電波受信電力記憶部（１０４）に記憶する（ステップＳ３）。
【０１３４】
また、電波送信要求信号を受信した無線端末装置（ＳＴＡ２、３）は、無線基地局（ＡＰ１）と同様に、無線端末装置（ＳＴＡ１）から送信される電波受信電力測定用信号の電波受信電力を電波受信電力測定部（１１０）において測定し、その電波受信電力測定部（１１０）において測定した電波受信電力の平均電波受信電力を算出し、その算出した平均電波受信電力を、送信元無線端末アドレス（無線端末装置ＳＴＡ１）と、関連づけて電波受信電力記憶部（１１２）に記憶する（ステップＳ４、Ｓ５）。
【０１３５】
次に、無線基地局（ＡＰ１）は、無線端末装置（ＳＴＡ２）を指定した無線端末アドレスと、指定時間と、の情報を含む電波送信要求信号を送信する（ステップＳ６）。
【０１３６】
電波送信要求信号を受信した無線端末装置（ＳＴＡ２）は、その電波送信要求信号に含まれる指定時間だけ、電波受信電力測定用信号の送信を実行することになる（ステップＳ７）。
【０１３７】
無線基地局（ＡＰ１）は、無線端末装置（ＳＴＡ２）から送信される電波受信電力測定用信号の電波受信電力を電波受信電力測定部（１０２）において測定し、その電波受信電力測定部（１０２）において測定した電波受信電力の平均電波受信電力を算出し、その算出した平均電波受信電力を、送信元無線端末アドレス（無線端末装置ＳＴＡ２）と、関連づけて電波受信電力記憶部（１０４）に記憶する（ステップＳ８）。
【０１３８】
また、電波送信要求信号を受信した無線端末装置（ＳＴＡ１、３）は、無線基地局（ＡＰ１）と同様に、無線端末装置（ＳＴＡ２）から送信される電波受信電力測定用信号の電波受信電力を電波受信電力測定部（１１０）において測定し、その電波受信電力測定部（１１０）において測定した電波受信電力の平均電波受信電力を算出し、その算出した平均電波受信電力を、送信元無線端末アドレス（無線端末装置ＳＴＡ２）と、関連づけて電波受信電力記憶部（１１２）に記憶する（ステップＳ９、Ｓ１０）。
【０１３９】
次に、無線基地局（ＡＰ１）は、無線端末装置（ＳＴＡ３）を指定した無線端末アドレスと、指定時間と、の情報を含む電波送信要求信号を送信する（ステップＳ１１）。
【０１４０】
電波送信要求信号を受信した無線端末装置（ＳＴＡ３）は、その電波送信要求信号に含まれる指定時間だけ、電波受信電力測定用信号の送信を実行することになる（ステップＳ１２）。
【０１４１】
無線基地局（ＡＰ１）は、無線端末装置（ＳＴＡ３）から送信される電波受信電力測定用信号の電波受信電力を電波受信電力測定部（１０２）において測定し、その電波受信電力測定部（１０２）において測定した電波受信電力の平均電波受信電力を算出し、その算出した平均電波受信電力を、送信元無線端末アドレス（無線端末装置ＳＴＡ３）と、関連づけて電波受信電力記憶部（１０４）に記憶する（ステップＳ１３）。
【０１４２】
また、電波送信要求信号を受信した無線端末装置（ＳＴＡ１、２）は、無線基地局（ＡＰ１）と同様に、無線端末装置（ＳＴＡ３）から送信される電波受信電力測定用信号の電波受信電力を電波受信電力測定部（１１０）において測定し、その電波受信電力測定部（１１０）において測定した電波受信電力の平均電波受信電力を算出し、その算出した平均電波受信電力を、送信元無線端末アドレス（無線端末装置ＳＴＡ３）と、関連づけて電波受信電力記憶部（１１２）に記憶する（ステップＳ１４、Ｓ１５）。
【０１４３】
なお、無線端末装置（ＳＴＡ１〜３）は、無線基地局（ＡＰ１）から送信される電波送信要求信号の電波受信電力を電波受信電力測定部（１１０）において測定し、その電波受信電力測定部（１１０）において測定した電波受信電力の平均電波受信電力を算出し、その算出した平均電波受信電力を、送信元無線基地局アドレス（無線基地局ＡＰ１）と、関連づけて電波受信電力記憶部（１１２）に記憶することになる。これにより、無線基地局（ＡＰ１）に帰属している各無線端末装置（ＳＴＡ１〜３）は、無線基地局（ＡＰ１）から送信される最新の電波送信要求信号（本実施形態ではＳ１１の電波送信要求信号）の平均電波受信電力を、送信元無線基地局アドレス（無線基地局ＡＰ１）と、関連づけて電波受信電力記憶部（１１２）に記憶することになる。
【０１４４】
以上の一連の処理により、無線基地局（ＡＰ１）は、無線基地局（ＡＰ１）に帰属している全ての無線端末装置（ＳＴＡ１〜３）に対し、無線端末アドレスと指定時間との情報を含む電波送信要求信号を送信し、無線端末アドレスに該当する無線端末装置には、電波受信電力測定用の無線信号の送信を指定時間の間実行させ、無線端末アドレスに該当しない無線端末装置には、その無線端末アドレスに該当する無線端末装置が送信する電波受信電力測定用の無線信号を受信し、該受信した無線信号の電波受信電力測定を指定時間の間実行させることになる。
【０１４５】
これにより、無線基地局（ＡＰ１）は、各無線端末装置（ＳＴＡ１〜３）から送信される電波受信電力測定用の無線信号を受信し、無線端末装置（ＳＴＡ１〜３）−無線基地局（ＡＰ１）間の電波受信電力を測定し、その測定した電波受信電力を電波受信電力記憶部（１０４）に記憶することになる。また、無線端末装置（ＳＴＡ１〜３）は、各無線端末装置（ＳＴＡ１〜３）から送信される電波受信電力測定用の無線信号を受信し、無線端末装置（ＳＴＡ１〜３）間の電波受信電力を測定し、その測定した電波受信電力を電波受信電力記憶部（１１２）に記憶すると共に、無線基地局（ＡＰ１）から送信される電波送信要求信号を受信し、無線基地局（ＡＰ１）−無線端末装置（ＳＴＡ１〜３）間の電波受信電力を測定し、その測定した電波受信電力を電波受信電力記憶部（１１２）に記憶することになる。
【０１４６】
次に、無線基地局（ＡＰ１）は、無線端末装置（ＳＴＡ１）が電波受信電力記憶部（１１２）に記憶した電波受信電力を収集するために、無線端末装置（ＳＴＡ１）に対し、電波受信電力送付要求信号を送信する（ステップＳ１６）。
【０１４７】
電波受信電力送付要求信号を受信した無線端末装置（ＳＴＡ１）は、電波受信電力記憶部（１１２）に記憶した電波受信電力を読み出し、該読み出した電波受信電力を含む電波受信電力送付応答信号を無線基地局（ＡＰ１）に送信する。これにより、無線端末装置（ＳＴＡ１）は、電波受信電力記憶部（１１２）に記憶した電波受信電力を無線基地局（ＡＰ１）に送付することになる（ステップＳ１７）。
【０１４８】
また、無線基地局（ＡＰ１）は、無線端末装置（ＳＴＡ２）が電波受信電力記憶部（１１２）に記憶した電波受信電力を収集するために、無線端末装置（ＳＴＡ２）に対し、電波受信電力送付要求信号を送信する（ステップＳ１８）。
【０１４９】
電波受信電力送付要求信号を受信した無線端末装置（ＳＴＡ２）は、電波受信電力記憶部（１１２）に記憶した電波受信電力を読み出し、該読み出した電波受信電力を含む電波受信電力送付応答信号を無線基地局（ＡＰ１）に送信する。これにより、無線端末装置（ＳＴＡ２）は、電波受信電力記憶部（１１２）に記憶した電波受信電力を無線基地局（ＡＰ１）に送付することになる（ステップＳ１９）。
【０１５０】
また、無線基地局（ＡＰ１）は、無線端末装置（ＳＴＡ３）が電波受信電力記憶部（１１２）に記憶した電波受信電力を収集するために、無線端末装置（ＳＴＡ３）に対し、電波受信電力送付要求信号を送信する（ステップＳ２０）。
【０１５１】
電波受信電力送付要求信号を受信した無線端末装置（ＳＴＡ３）は、電波受信電力記憶部（１１２）に記憶した電波受信電力を読み出し、該読み出した電波受信電力を含む電波受信電力送付応答信号を無線基地局（ＡＰ１）に送信する。これにより、無線端末装置（ＳＴＡ３）は、電波受信電力記憶部（１１２）に記憶した電波受信電力を無線基地局（ＡＰ１）に送付することになる（ステップＳ２１）。
【０１５２】
以上の一連の処理により、無線基地局（ＡＰ１）は、無線基地局（ＡＰ１）に帰属している全ての無線端末装置（ＳＴＡ１〜３）の電波受信電力記憶部（１１２）に記憶されている電波受信電力を無線端末装置（ＳＴＡ１〜３）毎に収集し、その各無線端末装置（ＳＴＡ１〜３）毎に収集した電波受信電力を電波受信電力記憶部（１０４）に各無線端末装置（ＳＴＡ１〜３）毎に記憶することになり、図３に示す情報が電波受信電力記憶部（１０４）に記憶されることになる。
【０１５３】
次に、無線基地局（ＡＰ１）は、無線基地局（ＡＰ１）自身のキャリアセンスレベルを決定するため、電波受信電力記憶部（１０４）に記憶した図３に示す電波受信電力情報を基に、無線基地局（ＡＰ１）において測定した各無線端末装置（ＳＴＡ１〜３）の電波受信電力を比較し、最も小さい最小電波受信電力を、最小電波受信電力判定部（１０５）において判定する。
【０１５４】
なお、本実施形態では、無線端末装置（ＳＴＡ１）の電波受信電力である−６５ｄＢｍが最小電波受信電力となる。無線基地局（ＡＰ１）は、この−６５ｄＢｍを無線基地局（ＡＰ１）の新しいキャリアセンスレベルとして、キャリアセンスレベル設定部（１０７）によりキャリアセンス部（１０６）に設定する（ステップＳ２２）。
【０１５５】
また、無線基地局（ＡＰ１）は、無線端末装置（ＳＴＡ１）のキャリアセンスレベルを決定するため、電波受信電力記憶部（１０４）に記憶した図３に示す電波受信電力情報を基に、無線端末装置（ＳＴＡ１）において測定した無線基地局（ＡＰ１）及び無線端末装置（ＳＴＡ２、３）の電波受信電力を比較し、最も小さい最小電波受信電力を、最小電波受信電力判定部（１０５）において判定する。
【０１５６】
なお、本実施形態では、無線端末装置（ＳＴＡ３）の電波受信電力である−７０ｄＢｍが最小電波受信電力となる。無線基地局（ＡＰ１）は、この−７０ｄＢｍを無線端末装置（ＳＴＡ１）の新しいキャリアセンスレベルとして無線端末装置（ＳＴＡ１）に設定するように指示するため、無線基地局（ＡＰ１）は、無線端末アドレス（無線端末装置ＳＴＡ１）と、最小電波受信電力値（−７０ｄＢｍ）と、の情報を含むキャリアセンスレベル設定信号を無線端末装置（ＳＴＡ１）に送信する（ステップＳ２３）。
【０１５７】
キャリアセンスレベル設定信号を受信した無線端末装置（ＳＴＡ１）は、そのキャリアセンスレベル設定信号に含まれる無線端末アドレスが、無線端末装置（ＳＴＡ１）に該当すると判断した際に、そのキャリアセンスレベル設定信号に含まれる最小電波受信電力値（−７０ｄＢｍ）を、新しいキャリアセンスレベルとしてキャリアセンスレベル設定部（１１４）によりキャリアセンス部（１１３）に設定する（ステップＳ２４）。
【０１５８】
また、無線基地局（ＡＰ１）は、無線端末装置（ＳＴＡ２）のキャリアセンスレベルを決定するため、電波受信電力記憶部（１０４）に記憶した図３に示す電波受信電力情報を基に、無線端末装置（ＳＴＡ２）において測定した無線基地局（ＡＰ１）及び無線端末装置（ＳＴＡ１、３）の電波受信電力を比較し、最も小さい最小電波受信電力を、最小電波受信電力判定部（１０５）において判定する。
【０１５９】
なお、本実施形態では、無線端末装置（ＳＴＡ１）の電波受信電力である−６０ｄＢｍが最小電波受信電力となる。無線基地局（ＡＰ１）は、この−６０ｄＢｍを無線端末装置（ＳＴＡ２）の新しいキャリアセンスレベルとして無線端末装置（ＳＴＡ２）に設定するように指示するため、無線基地局（ＡＰ１）は、無線端末アドレス（無線端末装置ＳＴＡ２）と、最小電波受信電力値（−６０ｄＢｍ）と、の情報を含むキャリアセンスレベル設定信号を無線端末装置（ＳＴＡ２）に送信する（ステップＳ２５）。
【０１６０】
キャリアセンスレベル設定信号を受信した無線端末装置（ＳＴＡ２）は、そのキャリアセンスレベル設定信号に含まれる無線端末アドレスが、無線端末装置（ＳＴＡ２）に該当すると判断した際に、そのキャリアセンスレベル設定信号に含まれる最小電波受信電力値（−６０ｄＢｍ）を、新しいキャリアセンスレベルとしてキャリアセンスレベル設定部（１１４）によりキャリアセンス部（１１３）に設定する（ステップＳ２６）。
【０１６１】
また、無線基地局（ＡＰ１）は、無線端末装置（ＳＴＡ３）のキャリアセンスレベルを決定するため、電波受信電力記憶部（１０４）に記憶した図３に示す電波受信電力情報を基に、無線端末装置（ＳＴＡ３）において測定した無線基地局（ＡＰ１）及び無線端末装置（ＳＴＡ１、２）の電波受信電力を比較し、最も小さい最小電波受信電力を、最小電波受信電力判定部（１０５）において判定する。
【０１６２】
なお、本実施形態では、無線端末装置（ＳＴＡ１）の電波受信電力である−７０ｄＢｍが最小電波受信電力となる。無線基地局（ＡＰ１）は、この−７０ｄＢｍを無線端末装置（ＳＴＡ３）の新しいキャリアセンスレベルとして無線端末装置（ＳＴＡ３）に設定するように指示するため、無線基地局（ＡＰ１）は、無線端末アドレス（無線端末装置ＳＴＡ３）と、最小電波受信電力値（−７０ｄＢｍ）と、の情報を含むキャリアセンスレベル設定信号を無線端末装置（ＳＴＡ３）に送信する（ステップＳ２７）。
【０１６３】
キャリアセンスレベル設定信号を受信した無線端末装置（ＳＴＡ３）は、そのキャリアセンスレベル設定信号に含まれる無線端末アドレスが、無線端末装置（ＳＴＡ３）に該当すると判断した際に、そのキャリアセンスレベル設定信号に含まれる最小電波受信電力値（−７０ｄＢｍ）を、新しいキャリアセンスレベルとしてキャリアセンスレベル設定部（１１４）によりキャリアセンス部（１１３）に設定する（ステップＳ２８）。
【０１６４】
以上の一連の処理動作により、無線基地局（ＡＰ１）、無線端末装置（ＳＴＡ１〜３）は、無線基地局（ＡＰ１）において各装置（無線基地局ＡＰ１、無線端末装置ＳＴＡ１〜３）毎に特定した最小電波受信電力を各装置（無線基地局ＡＰ１、無線端末装置ＳＴＡ１〜３）の新しいキャリアセンスレベルとして設定することになる。
【０１６５】
なお、無線基地局（ＡＰ１）で新しく設定されたキャリアセンスレベルは、無線基地局（ＡＰ１）から見て最も距離が離れている無線端末装置（ＳＴＡ１）から受信した無線信号の電波受信電力であり、図１に示す無線基地局（ＡＰ１）−無線端末装置（ＳＴＡ１）間の距離ｒの電波受信電力を示す。このため、無線基地局（ＡＰ１）のキャリアセンス範囲は、無線基地局（ＡＰ１）を中心とした、半径ｒの円に相当する。なお、この距離ｒは、無線基地局（ＡＰ１）が無線通信をカバーする範囲（セル）の半径として設計した値と一致したものとしている。
【０１６６】
また、無線端末装置（ＳＴＡ１）で新しく設定されたキャリアセンスレベルは、無線端末装置（ＳＴＡ１）から見て最も距離が離れている無線端末装置（ＳＴＡ３）から受信した無線信号の電波受信電力であり、図１に示す無線端末装置（ＳＴＡ１）−無線端末装置（ＳＴＡ３）間の距離ｄ13の電波受信電力を示す。このため、無線端末装置（ＳＴＡ１）のキャリアセンス範囲は、無線端末装置（ＳＴＡ１）を中心とした、半径ｄ13の円に相当する。
【０１６７】
また、無線端末装置（ＳＴＡ２）で新しく設定されたキャリアセンスレベルは、無線端末装置（ＳＴＡ２）から見て最も距離が離れている無線端末装置（ＳＴＡ１）から受信した無線信号の電波受信電力であり、図１に示す無線端末装置（ＳＴＡ２）−無線端末装置（ＳＴＡ１）間の距離ｄ12の電波受信電力を示す。このため、無線端末装置（ＳＴＡ２）のキャリアセンス範囲は、無線端末装置（ＳＴＡ２）を中心とした、半径ｄ12の円に相当する。
【０１６８】
また、無線端末装置（ＳＴＡ３）で新しく設定されたキャリアセンスレベルは、無線端末装置（ＳＴＡ３）から見て最も距離が離れている無線端末装置（ＳＴＡ１）から受信した無線信号の電波受信電力であり、図１に示す無線端末装置（ＳＴＡ３）−無線端末装置（ＳＴＡ１）間の距離ｄ13の電波受信電力を示す。このため、無線端末装置（ＳＴＡ３）のキャリアセンス範囲は、無線端末装置（ＳＴＡ３）を中心とした、半径ｄ13の円に相当する（なお、無線基地局ＡＰ１、無線端末装置ＳＴＡ１、２と同様であるため図１には図示していない）。
【０１６９】
なお、図１に示す、無線端末装置（ＳＴＡ１）のキャリアセンス範囲について、従来の無線基地局（ＡＰ１）のセルの直径（２ｒ）を半径としたキャリアセンス範囲と、本実施形態のキャリアセンスレベル設定方法により設定された距離ｄ13を半径としたキャリアセンス範囲と、を比較すると、本実施形態では、『隠れ端末問題』を解決した上で、できるだけ大きい電波受信電力をキャリアセンスレベルとして設定することが可能となるため、従来のキャリアセンス範囲（２ｒ）よりも狭くすることが可能となる。その結果、『晒し端末問題』を引き起こす電波送信源の存在確率も低減することが可能となるため、『隠れ端末問題』を回避した上で、『晒し端末問題』も低減することが可能となる。
【０１７０】
このように、本実施形態における無線通信システムは、無線基地局（ＡＰ１）は、その無線基地局（ＡＰ１）に帰属している無線端末装置（ＳＴＡ１〜３）を管理し、特定の無線端末装置には、電波受信電力測定用の無線信号（電波受信電力測定用信号）の送信を実行させ、特定の無線端末装置以外の無線端末装置には、特定の無線端末装置が送信する電波受信電力測定用の無線信号を受信し、該受信した無線信号の電波受信電力測定を実行させるための電波送信要求信号を、その無線基地局（ＡＰ１）と帰属している各無線端末装置（ＳＴＡ１〜３）に送信する。そして、各無線端末装置（ＳＴＡ１〜３）は、無線基地局（ＡＰ１）から送信される電波送信要求信号を受信した際に、電波送信要求信号の電波受信電力を測定すると共に、特定の無線端末装置に該当すると判断した場合には、電波受信電力測定用の無線信号の送信を行い、特定の無線端末装置以外に該当すると判断した場合には、特定の無線端末装置が送信する電波受信電力測定用の無線信号を受信し、該受信した無線信号の電波受信電力測定を行うことになる。
【０１７１】
次に、無線基地局（ＡＰ１）は、各無線端末装置（ＳＴＡ１〜３）において電波送信要求信号を受信した際に測定される電波受信電力と、電波受信電力測定を実行した際に測定される電波受信電力と、の複数の電波受信電力を、各無線端末装置（ＳＴＡ１〜３）毎に収集し、その各無線端末装置（ＳＴＡ１〜３）毎に収集した複数の電波受信電力の中から最小の電波受信電力を各無線端末装置（ＳＴＡ１〜３）毎に選定し、無線端末装置（ＳＴＡ１〜３）と、該無線端末装置（ＳＴＡ１〜３）から最も距離が離れている他の無線端末装置（ＳＴＡ１〜３）または無線基地局（ＡＰ１）と、の間の電波受信電力を各無線端末装置（ＳＴＡ１〜３）毎に特定する。例えば、帰属無線端末装置がＳＴＡ１の場合には、帰属無線端末装置（ＳＴＡ１）と、該帰属無線端末装置（ＳＴＡ１）から最も距離が離れている他の帰属無線端末装置（ＳＴＡ３）と、の間の電波受信電力を特定することになる。
【０１７２】
そして、無線基地局（ＡＰ１）は、各無線端末装置（ＳＴＡ１〜３）毎に特定した電波受信電力を各無線端末装置（ＳＴＡ１〜３）における新たなキャリアセンスレベルとして各無線端末装置（ＳＴＡ１〜３）に設定させるためのキャリアセンスレベル設定信号を、各無線端末装置（ＳＴＡ１〜３）に送信し、各無線端末装置（ＳＴＡ１〜３）は、無線基地局（ＡＰ１）から送信されるキャリアセンスレベル設定信号を受信することで、無線基地局（ＡＰ１）において各無線端末装置（ＳＴＡ１〜３）毎に特定した電波受信電力を新たなキャリアセンスレベルとして設定することになる。
【０１７３】
なお、無線端末装置（ＳＴＡ１〜３）同士の無線信号の送受信において、その無線信号の電波受信電力が弱い場合には、その無線信号の電波受信電力を測定することは可能であるが、その無線信号の通信内容を解読することができない場合がある。この場合、無線端末装置（ＳＴＡ１〜３）は、その無線信号の送信元の無線端末アドレスを特定することができないため、無線端末装置（ＳＴＡ１〜３）が測定した電波受信電力が、同じ無線基地局（ＡＰ１）に帰属している無線端末装置（ＳＴＡ１〜３）から送信された無線信号の電波受信電力なのか、あるいは、同じ無線基地局（ＡＰ１）に帰属していない他の無線装置等から送信された無線信号の電波受信電力なのかを判別することができないことになる。なお、同じ無線基地局（ＡＰ１）に帰属している無線端末装置（ＳＴＡ１〜３）から送信された無線信号か否かを判別する必要がある理由は、同じ無線基地局（ＡＰ１）に帰属する無線端末装置（ＳＴＡ１〜３）同士が、隠れ端末の位置に存在するとき、最も無線衝突が起こり易く、スループット低下等の問題が大きくなるためである。
【０１７４】
このため、本実施形態では、無線基地局（ＡＰ１）が、特定の無線端末装置には、電波受信電力測定用の無線信号（電波受信電力測定用信号）の送信を実行させ、特定の無線端末装置以外の無線端末装置には、特定の無線端末装置が送信する電波受信電力測定用の無線信号を受信し、該受信した無線信号の電波受信電力測定を実行させるための電波送信要求信号を、その無線基地局（ＡＰ１）と帰属している各無線端末装置（ＳＴＡ１〜３）に送信することで、その無線基地局（ＡＰ１）に帰属している各無線端末装置（ＳＴＡ１〜３）は、無線基地局（ＡＰ１）から電波送信要求信号を受信した際に、電波送信要求信号の電波受信電力を測定すると共に、特定の無線端末装置に該当すると判断した場合には、電波受信電力測定用の無線信号の送信を行い、特定の無線端末装置以外に該当すると判断した場合には、特定の無線端末装置が送信する電波受信電力測定用の無線信号を受信し、該受信した無線信号の電波受信電力測定を行うことになるため、各無線端末装置（ＳＴＡ１〜３）は、同じ無線基地局（ＡＰ１）に帰属している各無線端末装置（ＳＴＡ１〜３）から受信した無線信号の電波受信電力を、その無線信号の送信元の無線端末装置を特定しつつ測定することが可能となるため、各無線端末装置（ＳＴＡ１〜３）は、同一の無線基地局（ＡＰ１）に帰属している各無線端末装置（ＳＴＡ１〜３）同士が隠れ端末にならない中で、できるだけ大きい電波受信電力をキャリアセンスレベルとして設定することが可能となる。従って、不必要に小さな電波受信電力で、不必要に広いエリアのキャリアセンスを行うことがないため、同一の無線基地局（ＡＰ１）に帰属している無線端末装置（ＳＴＡ１〜３）同士が隠れ端末になることを防ぎつつ、晒し端末問題も低減化することが可能となる。
【０１７５】
また、無線基地局（ＡＰ１）と、その無線基地局（ＡＰ１）に帰属している無線端末装置（ＳＴＡ１〜３）と、が存在する無線環境下において、無線基地局（ＡＰ１）−無線端末装置（ＳＴＡ１〜３）間、及び、無線端末装置（ＳＴＡ１〜３）間の電波受信電力を測定し、隠れ端末を回避できる最適なキャリアセンスレベルに設定することになるため、無線障害物の影響など、無線環境下に応じて電波受信電力が異なっていても、隠れ端末問題を回避することが可能となる。
【０１７６】
（第２の実施形態）
次に、第２の実施形態について説明する。
【０１７７】
第１の実施形態における無線通信システムでは、無線基地局（ＡＰ１）が、その無線基地局（ＡＰ１）に帰属している各無線端末装置（ＳＴＡ１〜３）の電波受信電力記憶部（１１２）に記憶されている電波受信電力を各無線端末装置（ＳＴＡ１〜３）毎に収集し、その各無線端末装置（ＳＴＡ１〜３）毎に収集した電波受信電力を基に、各無線端末装置（ＳＴＡ１〜３）における最小電波受信電力を最小電波受信電力判定部（１０５）において各無線端末装置（ＳＴＡ１〜３）毎に判定し、その各無線端末装置（ＳＴＡ１〜３）毎に判定した最小電波受信電力を新しいキャリアセンスレベルとして各無線端末装置（ＳＴＡ１〜３）に無線基地局（ＡＰ１）が設定することにした。
【０１７８】
第２の実施形態における無線通信システムは、無線基地局（ＡＰ１）に搭載した最小電波受信電力判定部（１０５）の機能を、各無線端末装置（ＳＴＡ１〜３）に搭載し、各無線端末装置（ＳＴＡ１〜３）自身が、各無線端末装置（ＳＴＡ１〜３）の電波受信電力記憶部（１１２）に記憶されている電波受信電力を基に、最小電波受信電力を判定し、該判定した最小電波受信電力を新しいキャリアセンスレベルとして設定することを特徴とするものである。以下、図８〜図１０を参照しながら、第２の実施形態における無線通信システムの一連の処理動作について説明する。
【０１７９】
まず、図８、図９に示す第２の実施形態の無線通信システムにおけるステップＡ１〜ステップＡ１５までの一連の処理は、図５、図６に示す第１の実施形態の無線通信システムにおけるステップＳ１〜ステップＳ１５までの一連の処理と同様に行うことになる。
【０１８０】
これにより、無線基地局（ＡＰ１）は、無線基地局（ＡＰ１）に帰属している各無線端末装置（ＳＴＡ１〜３）に対し、無線端末アドレスと指定時間との情報を含む電波送信要求信号を送信し、無線端末アドレスに該当する無線端末装置には、電波受信電力測定用の無線信号の送信を指定時間の間実行させ、無線端末アドレスに該当しない無線端末装置には、その無線端末アドレスに該当する無線端末装置が送信する電波受信電力測定用の無線信号を受信し、該受信した無線信号の電波受信電力測定を指定時間の間実行させることになり、無線基地局（ＡＰ１）は、各無線端末装置（ＳＴＡ１〜３）から送信される電波受信電力測定用の無線信号を受信し、無線端末装置（ＳＴＡ１〜３）−無線基地局（ＡＰ１）間の電波受信電力情報を測定し、その測定した電波受信電力情報を電波受信電力記憶部（１０４）に記憶することになる。
【０１８１】
また、無線端末装置（ＳＴＡ１〜３）は、各無線端末装置（ＳＴＡ１〜３）から送信される電波受信電力測定用の無線信号を受信し、無線端末装置（ＳＴＡ１〜３）間の電波受信電力情報を測定し、その測定した電波受信電力情報を電波受信電力記憶部（１１２）に記憶すると共に、無線基地局（ＡＰ１）から送信される電波送信要求信号を受信し、無線基地局（ＡＰ１）−無線端末装置（ＳＴＡ１〜３）間の電波受信電力情報を測定し、その測定した電波受信電力情報を電波受信電力記憶部（１１２）に記憶することになる。
【０１８２】
次に、図１０に示すように、無線基地局（ＡＰ１）は、無線基地局（ＡＰ１）自身のキャリアセンスレベルを決定するため、無線基地局（ＡＰ１）が電波受信電力記憶部（１０４）に記憶した各無線端末装置（ＳＴＡ１〜３）の電波受信電力を比較し、最も小さい最小電波受信電力を、最小電波受信電力判定部（１０５）において判定する。
【０１８３】
なお、本実施形態では、無線端末装置（ＳＴＡ１）の電波受信電力である−６５ｄＢｍが最小電波受信電力となる。無線基地局（ＡＰ１）は、この−６５ｄＢｍを無線基地局（ＡＰ１）の新しいキャリアセンスレベルとして、キャリアセンスレベル設定部（１０７）によりキャリアセンス部（１０６）に設定する（ステップＡ１６）。
【０１８４】
また、無線基地局（ＡＰ１）は、無線端末装置（ＳＴＡ１）が電波受信電力記憶部（１１２）に記憶した電波受信電力の中で、最小電波受信電力を新しいキャリアセンスレベルとして無線端末装置（ＳＴＡ１）に設定するように指示するため、無線端末アドレス（無線端末装置ＳＴＡ１）の情報を含むキャリアセンスレベル設定信号を無線端末装置（ＳＴＡ１）に送信する（ステップＡ１７）。
【０１８５】
キャリアセンスレベル設定信号を受信した無線端末装置（ＳＴＡ１）は、そのキャリアセンスレベル設定信号に含まれる無線端末アドレスが、無線端末装置（ＳＴＡ１）に該当すると判断した際に、無線端末装置（ＳＴＡ１）は、無線端末装置（ＳＴＡ１）が電波受信電力記憶部（１１２）に記憶した無線基地局（ＡＰ１）及び無線端末装置（ＳＴＡ２、３）の電波受信電力を比較し、最も小さい最小電波受信電力を判定する。
【０１８６】
なお、本実施形態では、無線端末装置（ＳＴＡ３）の電波受信電力である−７０ｄＢｍが最小電波受信電力となる。無線端末装置（ＳＴＡ１）は、この−７０ｄＢｍを無線端末装置（ＳＴＡ１）の新しいキャリアセンスレベルとしてキャリアセンスレベル設定部（１１４）によりキャリアセンス部（１１３）に設定することになる（ステップＡ１８）。
【０１８７】
また、無線基地局（ＡＰ１）は、無線端末装置（ＳＴＡ２）が電波受信電力記憶部（１１２）に記憶した電波受信電力の中で、最小電波受信電力を新しいキャリアセンスレベルとして無線端末装置（ＳＴＡ２）に設定するように指示するため、無線端末アドレス（無線端末装置ＳＴＡ２）の情報を含むキャリアセンスレベル設定信号を無線端末装置（ＳＴＡ２）に送信する（ステップＡ１９）。
【０１８８】
キャリアセンスレベル設定信号を受信した無線端末装置（ＳＴＡ２）は、そのキャリアセンスレベル設定信号に含まれる無線端末アドレスが、無線端末装置（ＳＴＡ２）に該当すると判断した際に、無線端末装置（ＳＴＡ２）は、無線端末装置（ＳＴＡ２）が電波受信電力記憶部（１１２）に記憶した無線基地局（ＡＰ１）及び無線端末装置（ＳＴＡ１、３）の電波受信電力を比較し、最も小さい最小電波受信電力を判定する。
【０１８９】
なお、本実施形態では、無線端末装置（ＳＴＡ１）の電波受信電力である−６０ｄＢｍが最小電波受信電力となる。無線端末装置（ＳＴＡ２）は、この−６０ｄＢｍを無線端末装置（ＳＴＡ２）の新しいキャリアセンスレベルとしてキャリアセンスレベル設定部（１１４）によりキャリアセンス部（１１３）に設定することになる（ステップＡ２０）。
【０１９０】
また、無線基地局（ＡＰ１）は、無線端末装置（ＳＴＡ３）が電波受信電力記憶部（１１２）に記憶した電波受信電力の中で、最小電波受信電力を新しいキャリアセンスレベルとして無線端末装置（ＳＴＡ３）に設定するように指示するため、無線端末アドレス（無線端末装置ＳＴＡ３）の情報を含むキャリアセンスレベル設定信号を無線端末装置（ＳＴＡ３）に送信する（ステップＡ２１）。
【０１９１】
キャリアセンスレベル設定信号を受信した無線端末装置（ＳＴＡ３）は、そのキャリアセンスレベル設定信号に含まれる無線端末アドレスが、無線端末装置（ＳＴＡ３）に該当すると判断した際に、無線端末装置（ＳＴＡ３）は、無線端末装置（ＳＴＡ３）が電波受信電力記憶部（１１２）に記憶した無線基地局（ＡＰ１）及び無線端末装置（ＳＴＡ１、２）の電波受信電力を比較し、最も小さい最小電波受信電力を判定する。
【０１９２】
なお、本実施形態では、無線端末装置（ＳＴＡ１）の電波受信電力である−７０ｄＢｍが最小電波受信電力となる。無線端末装置（ＳＴＡ３）は、この−７０ｄＢｍを無線端末装置（ＳＴＡ３）の新しいキャリアセンスレベルとしてキャリアセンスレベル設定部（１１４）によりキャリアセンス部（１１３）に設定することになる（ステップＡ２２）。
【０１９３】
以上の一連の処理動作により、無線基地局（ＡＰ１）、無線端末装置（ＳＴＡ１〜３）は、各装置（無線基地局ＡＰ１、無線端末装置ＳＴＡ１〜３）において測定した最小の電波受信電力を新しいキャリアセンスレベルとして設定することになる。
【０１９４】
このように、第２の実施形態における無線通信システムは、無線基地局（ＡＰ１）は、その無線基地局（ＡＰ１）に帰属している無線端末装置（ＳＴＡ１〜３）を管理し、特定の無線端末装置には、電波受信電力測定用の無線信号（電波受信電力測定用信号）の送信を実行させ、特定の無線端末装置以外の無線端末装置には、特定の無線端末装置が送信する電波受信電力測定用の無線信号を受信し、該受信した無線信号の電波受信電力測定を実行させるための電波送信要求信号を、その無線基地局（ＡＰ１）と帰属している全ての無線端末装置（ＳＴＡ１〜３）に送信する。そして、各無線端末装置（ＳＴＡ１〜３）は、電波送信要求信号を受信した際に、特定の無線端末装置に該当すると判断した場合には、電波受信電力測定用の無線信号の送信を行い、特定の無線端末装置以外に該当すると判断した場合には、特定の無線端末装置が送信する電波受信電力測定用の無線信号を受信し、該受信した無線信号の電波受信電力測定を行うことになる。
【０１９５】
次に、無線基地局（ＡＰ１）は、各無線端末装置（ＳＴＡ１〜３）において電波受信電力測定を実行した際に測定される複数の電波受信電力の中から最小の電波受信電力を新たなキャリアセンスレベルとして各無線端末装置（ＳＴＡ１〜３）に設定させるためのキャリアセンスレベル設定信号を、その無線基地局（ＡＰ１）と帰属している各無線端末装置（ＳＴＡ１〜３）に送信する。そして、各無線端末装置（ＳＴＡ１〜３）は、キャリアセンスレベル設定信号を受信した際に、各無線端末装置（ＳＴＡ１〜３）において電波受信電力測定を実行した際に測定される複数の電波受信電力の中から最小の電波受信電力を選定し、該選定した最小の電波受信電力を新たなキャリアセンスレベルとして設定することになる。
【０１９６】
これにより、第１の実施形態の無線通信システムと同様に、同一の無線基地局（ＡＰ１）に帰属している無線端末装置（ＳＴＡ１〜３）同士が隠れ端末にならない中で、できるだけ大きい電波受信電力をキャリアセンスレベルとして設定することが可能となる。従って、不必要に小さな電波受信電力で、不必要に広いエリアのキャリアセンスを行うことがないため、同一の無線基地局（ＡＰ１）に帰属している無線端末装置（ＳＴＡ１〜３）同士が隠れ端末になることを防ぎつつ、晒し端末問題も低減化することが可能となる。
【０１９７】
また、無線基地局（ＡＰ１）と、その無線基地局（ＡＰ１）に帰属している無線端末装置（ＳＴＡ１〜３）と、が存在する無線環境下において、無線基地局（ＡＰ１）−無線端末装置（ＳＴＡ１〜３）間、及び、無線端末装置（ＳＴＡ１〜３）間の電波受信電力を測定し、隠れ端末を回避できる最適なキャリアセンスレベルに設定することになるため、無線障害物の影響など、無線環境下に応じて電波受信電力が異なっていても、隠れ端末問題を回避することが可能となる。
【０１９８】
また、第２の実施形態における無線通信システムは、無線基地局（ＡＰ１）からキャリアセンスレベル設定信号を受信した際に、各無線端末装置（ＳＴＡ１〜３）自身が、電波受信電力記憶部（１１２）に記憶されている電波受信電力を基に、最小電波受信電力を選定し、該選定した最小電波受信電力を新しいキャリアセンスレベルとして設定することになるため、第１の実施形態における無線通信システムのように、無線基地局（ＡＰ１）が、その無線基地局（ＡＰ１）と帰属している全ての無線端末装置（ＳＴＡ１〜３）において測定される複数の電波受信電力を無線端末装置（ＳＴＡ１〜３）毎に収集し、その無線端末装置（ＳＴＡ１〜３）毎に収集した電波受信電力を基に、最小電波受信電力を各無線端末装置（ＳＴＡ１〜３）毎に選定し、その各無線端末装置毎に特定した最小電波受信電力を新たなキャリアセンスレベルとして各無線端末装置（ＳＴＡ１〜３）に設定する必要がないため、無線基地局（ＡＰ１）において行う処理を低減することが可能となる。
【０１９９】
（第３の実施形態）
次に、第３の実施形態について説明する。
【０２００】
第３の実施形態における無線通信システムは、図１１に示すように、無線基地局（ＡＰ２）と、その無線基地局（ＡＰ２）に帰属している複数の無線端末装置（ＳＴＡ５〜７）と、を有して構成される無線通信システムであり、無線基地局（ＡＰ２）は、無線基地局（ＡＰ２）から最も距離が離れている無線端末装置（ＳＴＡ７）との間の電波受信電力と、各無線端末装置（ＳＴＡ５〜７）と無線基地局（ＡＰ２）との間の電波受信電力と、を加算した加算電波受信電力を各無線端末装置（ＳＴＡ５〜７）毎に算出し、各無線端末装置（ＳＴＡ５〜７）毎に算出した加算電波受信電力を各無線端末装置（ＳＴＡ５〜７）における新たなキャリアセンスレベルとして各無線端末装置（ＳＴＡ５〜７）に設定することを特徴とするものである。
【０２０１】
これにより、同一の無線基地局（ＡＰ２）に帰属している無線端末装置（ＳＴＡ５〜７）同士が隠れ端末にならない中で、できるだけ大きい電波受信電力をキャリアセンスレベルとして設定することが可能となるため、不必要に小さな電波受信電力で、不必要に広いエリアのキャリアセンスを行うことがないため、同一の無線基地局（ＡＰ２）に帰属している無線端末装置（ＳＴＡ５〜７）同士が隠れ端末になることを防ぎつつ、晒し端末問題も低減化することが可能となる。また、無線基地局（ＡＰ２）と、その無線基地局（ＡＰ２）に帰属している無線端末装置（ＳＴＡ５〜７）と、が存在する無線環境下において、無線基地局（ＡＰ２）−無線端末装置（ＳＴＡ５〜７）間の電波受信電力を測定し、隠れ端末を回避できる最適なキャリアセンスレベルに設定することになるため、無線障害物の影響等、無線環境下に応じて、電波受信電力が異なっていても、隠れ端末問題を回避することが可能となる。以下、図１１〜図１３を参照しながら、第３の実施形態における無線通信システムについて詳細に説明する。
【０２０２】
まず、図１１を参照しながら、第３の実施形態における無線通信システムのシステム構成について説明する。
【０２０３】
第３の実施形態における無線通信システムは、図１１に示すように、無線基地局（ＡＰ２）と、複数の無線端末装置（ＳＴＡ５〜７）と、を有して構成される。なお、図１１では、複数の端末装置（ＳＴＡ５〜７）は、無線基地局（ＡＰ２）に帰属しているものとする。
【０２０４】
なお、図１１に示す無線通信システムにおいて、無線基地局（ＡＰ２）−無線端末装置（ＳＴＡ５）間の距離をｄ45とし、無線基地局（ＡＰ２）−無線端末装置（ＳＴＡ６）間の距離をｄ46とし、無線基地局（ＡＰ２）−無線端末装置（ＳＴＡ７）間の距離をｄ47とする。なお、ｄ47は、無線基地局（ＡＰ２）が無線通信をカバーする範囲（セル）の半径ｒと一致しているものとする。なお、本実施形態において無線基地局（ＡＰ２）が無線通信をカバーする範囲（セル）の半径ｒは固定の値とする。
【０２０５】
次に、図１２、図１３を参照しながら、図１１に示す第３の実施形態の無線通信システムにおける一連の制御動作について詳細に説明する。なお、図１２、図１３は、無線基地局（ＡＰ２）と無線端末装置（ＳＴＡ５〜７）とが連携し、キャリアセンスレベルを設定するまでの動作シーケンスを示す図である。まず、図１２、図１３に示す動作シーケンスに用いられる各信号について説明する。
【０２０６】
Ｓ１００、Ｓ１０２、Ｓ１０４の電波受信電力送付要求信号は、無線端末装置（ＳＴＡ５〜７）において算出した平均電波受信電力を無線基地局（ＡＰ２）が収集するための信号であり、無線基地局（ＡＰ２）が各無線端末装置（ＳＴＡ５〜７）に送信する。
【０２０７】
Ｓ１０１、Ｓ１０３、Ｓ１０５の電波受信電力送付応答信号は、無線端末装置（ＳＴＡ５〜７）が、電波電力受信送付要求信号を受信した際に算出した平均電波受信電力を無線基地局（ＡＰ２）に通知するための信号であり、各無線端末装置（ＳＴＡ５〜７）が無線基地局（ＡＰ２）に送信する。
【０２０８】
Ｓ１０６、Ｓ１０８、Ｓ１１０のキャリアセンスレベル設定信号は、各無線端末装置（ＳＴＡ５〜７）から通知された電波受信電力を基に無線基地局（ＡＰ２）において決定したキャリアセンスレベルを新しいキャリアセンスレベルとして各無線端末装置（ＳＴＡ５〜７）に設定するように指示するための信号であり、無線基地局（ＡＰ２）が各無線端末装置（ＳＴＡ５〜７）に送信する。
【０２０９】
なお、キャリアセンスレベルは、図１１に示すように、無線端末装置（ＳＴＡ５〜７）と無線基地局（ＡＰ２）とを直線で結び、その直線とセル範囲を示す円との交点の位置に無線端末装置が存在するとしても（この場合、無線端末装置間の距離が最も大きくなる）、キャリアセンスを行うことができるように決定する。つまり、無線端末装置（ＳＴＡ５）では、距離（ｒ＋ｄ45）、無線端末装置（ＳＴＡ６）では、距離（ｒ＋ｄ46）、無線端末装置（ＳＴＡ７）では、距離（ｒ＋ｄ47）だけ伝搬した場合の電波受信電力をキャリアセンスレベルとする。これにより、従来のように、距離２ｒに相当したキャリアセンスレベルを常に固定に設定しなくても、キャリアセンスレベルを動的に変更し、上述した『隠れ端末問題』を回避することが可能となる。ただし、無線端末装置（ＳＴＡ５〜７）が無線基地局（ＡＰ２）のセル半径ｒの位置に存在する場合には、その無線端末装置（ＳＴＡ５〜７）のキャリアセンスレベルは、距離２ｒ相当の電波受信電力となる。
【０２１０】
次に、図１２、図１３を参照しながら、第３の実施形態の無線通信システムにおいてキャリアセンスレベルを設定する際の制御動作について詳細に説明する。
【０２１１】
まず、無線基地局（ＡＰ２）は、無線端末装置（ＳＴＡ５）の電波受信電力を収集するため、無線端末装置（ＳＴＡ５）に対し、電波受信電力送付要求信号を送信する（ステップＳ１００）。
【０２１２】
電波受信電力送付要求信号を受信した無線端末装置（ＳＴＡ５）は、電波受信電力送付要求信号受信時の平均電波受信電力を算出し、その算出した平均電波受信電力を電波受信電力送付応答信号により無線基地局（ＡＰ２）に通知する（ステップＳ１０１）。
【０２１３】
次に、無線基地局（ＡＰ２）は、無線端末装置（ＳＴＡ６）の電波受信電力を収集するため、無線端末装置（ＳＴＡ６）に対し、電波受信電力送付要求信号を送信する（ステップＳ１０２）。
【０２１４】
電波受信電力送付要求信号を受信した無線端末装置（ＳＴＡ６）は、電波受信電力送付要求信号受信時の平均電波受信電力を算出し、その算出した平均電波受信電力を電波受信電力送付応答信号により無線基地局（ＡＰ２）に通知する（ステップＳ１０３）。
【０２１５】
次に、無線基地局（ＡＰ２）は、無線端末装置（ＳＴＡ７）の電波受信電力を収集するため、無線端末装置（ＳＴＡ７）に対し、電波受信電力送付要求信号を送信する（ステップＳ１０４）。
【０２１６】
電波受信電力送付要求信号を受信した無線端末装置（ＳＴＡ７）は、電波受信電力送付要求信号受信時の平均電波受信電力を算出し、その算出した平均電波受信電力を電波受信電力送付応答信号により無線基地局（ＡＰ２）に通知する（ステップＳ１０５）。
【０２１７】
以上の一連の処理により、無線基地局（ＡＰ２）は、無線基地局（ＡＰ２）に帰属している各無線端末装置（ＳＴＡ５〜７）に対し、電波受信電力送付要求信号を送信し、無線基地局（ＡＰ２）に帰属している全ての無線端末装置（ＳＴＡ５〜７）は、電波受信電力送付要求信号を受信した際に算出した平均電波受信電力の情報を含む電波受信電力送付応答信号を無線基地局（ＡＰ２）に送信することになる。これにより、無線基地局（ＡＰ２）は、無線基地局（ＡＰ２）に帰属している全ての無線端末装置（ＳＴＡ５〜７）の電波受信電力を収集することになる。
【０２１８】
次に、無線基地局（ＡＰ２）は、無線基地局（ＡＰ２）自身のキャリアセンスレベルを決定するため、無線基地局（ＡＰ２）に帰属している各無線端末装置（ＳＴＡ５〜７）から受信した電波受信電力を基に、各無線端末装置（ＳＴＡ５〜７）の電波受信電力を比較し、最も小さい最小電波受信電力を、無線基地局（ＡＰ２）の新しいキャリアセンスレベルとして設定する。なお、本実施形態の場合では、図１１に示す無線基地局（ＡＰ２）−無線端末装置（ＳＴＡ７）間の距離ｄ47の電波受信電力を無線基地局（ＡＰ２）の新しいキャリアセンスレベルとして設定することになる。なお、無線基地局（ＡＰ２）の新しいキャリアセンス範囲は、無線基地局（ＡＰ２）を中心とした半径ｒの円とする。
【０２１９】
次に、無線基地局（ＡＰ２）は、無線端末装置（ＳＴＡ５）から収集した電波受信電力を基に、距離（ｒ＋ｄ45）に相当した電波受信電力を算出する。無線基地局（ＡＰ２）は、その算出した電波受信電力の値を無線端末装置（ＳＴＡ５）の新しいキャリアセンスレベルとして無線端末装置（ＳＴＡ５）に設定するように指示するため、無線基地局（ＡＰ２）は、無線端末アドレス（無線端末装置ＳＴＡ５）と、距離（ｒ＋ｄ45）に相当した電波受信電力と、の情報を含むキャリアセンスレベル設定信号を無線端末装置（ＳＴＡ５）に送信する（ステップＳ１０６）。
【０２２０】
キャリアセンスレベル設定信号を受信した無線端末装置（ＳＴＡ５）は、そのキャリアセンスレベル設定信号に含まれる無線端末アドレスが、無線端末装置（ＳＴＡ５）に該当すると判断した際に、そのキャリアセンスレベル設定信号に含まれる距離（ｒ＋ｄ45）に相当した電波受信電力を、新しいキャリアセンスレベルとして設定する（ステップＳ１０７）。
【０２２１】
また、無線基地局（ＡＰ２）は、無線端末装置（ＳＴＡ６）から収集した電波受信電力を基に、距離（ｒ＋ｄ46）に相当した電波受信電力を算出する。無線基地局（ＡＰ２）は、その算出した電波受信電力の値を無線端末装置（ＳＴＡ６）の新しいキャリアセンスレベルとして無線端末装置（ＳＴＡ６）に設定するように指示するため、無線基地局（ＡＰ２）は、無線端末アドレス（無線端末装置ＳＴＡ６）と、距離（ｒ＋ｄ46）に相当した電波受信電力と、の情報を含むキャリアセンスレベル設定信号を無線端末装置（ＳＴＡ６）に送信する（ステップＳ１０８）。
【０２２２】
キャリアセンスレベル設定信号を受信した無線端末装置（ＳＴＡ６）は、そのキャリアセンスレベル設定信号に含まれる無線端末アドレスが、無線端末装置（ＳＴＡ６）に該当すると判断した際に、そのキャリアセンスレベル設定信号に含まれる距離（ｒ＋ｄ46）に相当した電波受信電力を、新しいキャリアセンスレベルとして設定する（ステップＳ１０９）。
【０２２３】
また、無線基地局（ＡＰ２）は、無線端末装置（ＳＴＡ７）から収集した電波受信電力を基に、距離（ｒ＋ｄ47）に相当した電波受信電力を算出する。無線基地局（ＡＰ２）は、その算出した電波受信電力の値を無線端末装置（ＳＴＡ７）の新しいキャリアセンスレベルとして無線端末装置（ＳＴＡ７）に設定するように指示するため、無線基地局（ＡＰ２）は、無線端末アドレス（無線端末装置ＳＴＡ７）と、距離（ｒ＋ｄ47）に相当した電波受信電力と、の情報を含むキャリアセンスレベル設定信号を無線端末装置（ＳＴＡ７）に送信する（ステップＳ１１０）。
【０２２４】
キャリアセンスレベル設定信号を受信した無線端末装置（ＳＴＡ７）は、そのキャリアセンスレベル設定信号に含まれる無線端末アドレスが、無線端末装置（ＳＴＡ７）に該当すると判断した際に、そのキャリアセンスレベル設定信号に含まれる距離（ｒ＋ｄ47）に相当した電波受信電力を、新しいキャリアセンスレベルとして設定する（ステップＳ１１１）。
【０２２５】
以上の一連の処理動作により、無線基地局（ＡＰ２）に帰属している各無線端末装置（ＳＴＡ５〜７）は、無線基地局（ＡＰ２）において算出した新しいキャリアセンスレベルに設定することになり、無線端末装置（ＳＴＡ５）は、距離（ｒ＋ｄ45）、無線端末装置（ＳＴＡ６）は、距離（ｒ＋ｄ46）、無線端末装置（ＳＴＡ７）は、距離（ｒ＋ｄ47）だけ伝搬した場合の電波受信電力を新しいキャリアセンスレベルとして設定することになる。これにより、従来のように、一定で距離２ｒに相当したキャリアセンスレベルに設定しなくても、キャリアセンスレベルを大きくし、上述した『隠れ端末問題』を回避することが可能となる。
【０２２６】
このように、第３の実施形態における無線通信システムは、無線基地局（ＡＰ２）は、その無線基地局（ＡＰ２）に帰属している無線端末装置（ＳＴＡ５〜７）を管理し、各無線端末装置（ＳＴＡ５〜７）の電波受信電力を収集するための電波受信電力送付要求信号を各無線端末装置（ＳＴＡ５〜７）に送信し、各無線端末装置（ＳＴＡ５〜７）は、無線基地局（ＡＰ２）から電波受信電力送付要求信号を受信した際に、該受信した電波受信電力送付要求信号の電波受信電力を測定し、該測定した電波受信電力を無線基地局（ＡＰ２）に送付することで、無線基地局（ＡＰ２）は、各無線端末装置（ＳＴＡ５〜７）において測定した電波受信電力を各無線端末装置（ＳＴＡ５〜７）から収集することになる。
【０２２７】
そして、無線基地局（ＡＰ２）は、各無線端末装置（ＳＴＡ５〜７）から収集した電波受信電力の中から最小の電波受信電力を選定し、その選定した最小の電波受信電力を、無線基地局（ＡＰ２）から最も距離が離れている無線端末装置との間の電波受信電力とし、無線基地局（ＡＰ２）の新しいキャリアセンスレベルとして設定する。そして、無線基地局（ＡＰ２）は、その無線基地局（ＡＰ２）の新しいキャリアセンスレベルとして設定した電波受信電力と、各無線端末装置（ＳＴＡ５〜７）から収集した電波受信電力と、を加算した加算電波受信電力を、各無線端末装置（ＳＴＡ５〜７）毎に算出する。
【０２２８】
そして、無線基地局（ＡＰ２）は、各無線端末装置（ＳＴＡ５〜７）毎に算出した加算電波受信電力を各無線端末装置（ＳＴＡ５〜７）における新たなキャリアセンスレベルとして各無線端末装置（ＳＴＡ５〜７）に設定させるためのキャリアセンスレベル設定信号を、各無線端末装置（ＳＴＡ５〜７）に送信し、各無線端末装置（ＳＴＡ５〜７）は、無線基地局（ＡＰ２）からキャリアセンスレベル設定信号を受信することで、無線基地局（ＡＰ２）において各無線端末装置（ＳＴＡ５〜７）毎に算出した加算電波受信電力を新たなキャリアセンスレベルとして設定することになる。
【０２２９】
これにより、同一の無線基地局（ＡＰ２）に帰属している無線端末装置（ＳＴＡ５〜７）同士が隠れ端末にならない中で、できるだけ大きい電波受信電力をキャリアセンスレベルとして設定することが可能となるため、不必要に小さな電波受信電力で、不必要に広いエリアのキャリアセンスを行うことがないため、同一の無線基地局（ＡＰ２）に帰属している無線端末装置（ＳＴＡ５〜７）同士が隠れ端末になることを防ぎつつ、晒し端末問題も低減化することが可能となる。
【０２３０】
また、無線基地局（ＡＰ２）と、その無線基地局（ＡＰ２）に帰属している無線端末装置（ＳＴＡ５〜７）と、が存在する無線環境下において、無線基地局（ＡＰ２）−無線端末装置（ＳＴＡ５〜７）間の電波受信電力を測定し、隠れ端末を回避できる最適なキャリアセンスレベルに設定することになるため、無線障害物の影響など、無線環境下に応じて電波受信電力が異なっていても、隠れ端末問題を回避することが可能となる。
【０２３１】
（実施例）
次に、上述した第１〜第３の実施形態における実施例について説明する。
【０２３２】
（第１の実施例）
まず、図１４、図１５を参照しながら、第１の実施例について詳細に説明する。なお、図１４は、無線基地局（ＡＰ）と、無線ＬＡＮ（Local Area Network）端末装置（１１〜１３）と、を有して構成される無線通信システムであり、無線ＬＡＮ端末装置（１２、１３）が既に無線基地局（ＡＰ）に帰属中に、新たな無線ＬＡＮ端末装置（１１）が無線基地局（ＡＰ）に帰属要求を行う場合の動作シーケンスである。
【０２３３】
なお、図１４では、第１、第２の実施形態で説明したキャリアセンスレベル設定方法を適用している。
【０２３４】
まず、無線ＬＡＮ端末装置（１１）は、無線基地局（ＡＰ）に帰属するため、アソシエーション要求を送信する（ステップＳ２００）。アソシエーション要求を受信した無線基地局（ＡＰ）は、無線ＬＡＮ端末装置（１１）に対し、アソシエーション応答を送信する（ステップＳ２０１）。
【０２３５】
無線ＬＡＮ端末装置（１１）は、アソシエーション応答を受信すると、無線ＬＡＮ端末装置（１１）の無線基地局（ＡＰ）に対する帰属処理が完了する（ステップＳ２０２）。帰属処理が完了すると、無線基地局（ＡＰ）は、無線ＬＡＮ端末装置（１１）を、無線基地局（ＡＰ）において帰属している帰属無線端末装置として管理し、無線基地局（ＡＰ）は、上述した第１、第２の実施形態における制御動作を開始し、無線基地局（ＡＰ）及び無線ＬＡＮ端末装置（１１〜１３）相互間の電波受信電力を収集し、無線ＬＡＮ端末装置（１１〜１３）は、無線基地局（ＡＰ）から指示されたキャリアセンスレベルにそれぞれ設定することになる（ステップＳ２０３〜ステップＳ２０８）。
【０２３６】
なお、図１５は、無線基地局（ＡＰ）と無線ＬＡＮ（Local Area Network）端末装置（１１〜１３）と、を有して構成される無線通信システムであり、無線ＬＡＮ端末装置（１２、１３）が既に無線基地局（ＡＰ）に帰属中に、新たな無線ＬＡＮ端末装置（１１）が無線基地局（ＡＰ）に帰属要求を行う場合の動作シーケンスである。
【０２３７】
なお、図１５では、第３の実施形態で説明したキャリアセンスレベル設定方法を適用している。
【０２３８】
まず、無線ＬＡＮ端末装置（１１）は、無線基地局（ＡＰ）に帰属するため、アソシエーション要求を送信する（ステップＳ２５０）。アソシエーション要求を受信した無線基地局（ＡＰ）は、無線ＬＡＮ端末装置（１１）に対し、アソシエーション応答を送信する（ステップＳ２５１）。
【０２３９】
無線ＬＡＮ端末装置（１１）は、アソシエーション応答を受信すると、無線ＬＡＮ端末装置（１１）の無線基地局（ＡＰ）に対する帰属処理が完了する（ステップＳ２５２）。帰属処理が完了すると、無線基地局（ＡＰ）は、無線ＬＡＮ端末装置（１１）を、無線基地局（ＡＰ）において帰属している帰属無線端末装置として管理し、無線基地局（ＡＰ）は、上述した第３の実施形態における制御動作を開始し、無線基地局（ＡＰ）は、無線ＬＡＮ端末装置（１１）の電波受信電力を収集し、該収集した電波受信電力を基に、無線ＬＡＮ端末装置（１１）の新しいキャリアセンスレベルを算出し、無線ＬＡＮ端末装置（１１）は、無線基地局（ＡＰ）から指示されたキャリアセンスレベルに設定することになる（ステップＳ２５３、Ｓ２５４）。
【０２４０】
このように、第１〜第３の実施形態において説明したキャリアセンスレベル設定方法を、無線基地局（ＡＰ）が、新たな無線端末装置からの帰属要求を容認した際に行うことで、無線基地局（ＡＰ）は、その無線基地局（ＡＰ）に新たな無線端末装置が帰属された環境条件を考慮したキャリアセンスレベルの制御を行うことが可能となる。
【０２４１】
（第２の実施例）
次に、図１６、図１７を参照しながら、第２の実施例について詳細に説明する。なお、図１６は、無線基地局（ＡＰ）と、無線ＬＡＮ（Local Area Network）端末装置（１１〜１３）と、を有して構成される無線システムであり、無線ＬＡＮ端末装置（１１〜１３）が既に無線基地局（ＡＰ）に帰属中に、無線ＬＡＮ端末装置（１３）が移動した場合の動作シーケンスである。
【０２４２】
なお、図１６は、第１、第２の実施形態で説明したキャリアセンスレベル設定方法を適用している。
【０２４３】
まず、無線ＬＡＮ端末装置（１３）が移動し（ステップＳ３００）、無線基地局（ＡＰ）と無線ＬＡＮ端末装置（１３）との間の無線通信において、無線基地局（ＡＰ）で測定される無線ＬＡＮ端末装置（１３）の電波受信電力が変動したと無線基地局（ＡＰ）が判断した場合に（ステップＳ３０１）、無線基地局（ＡＰ）及び無線ＬＡＮ端末装置（１１〜１３）での最小電波受信電力が変化した可能性があるため、無線基地局（ＡＰ）は、上述した第１、第２の実施形態における制御動作を開始し、無線基地局（ＡＰ）及び無線ＬＡＮ端末装置（１１〜１３）相互間の電波受信電力を収集し、無線ＬＡＮ端末装置（１１〜１３）は、無線基地局（ＡＰ）から指示されたキャリアセンスレベルにそれぞれ設定することになる（ステップＳ３０２〜Ｓ３０７）。
【０２４４】
なお、ステップＳ３０１において、無線基地局（ＡＰ）は、無線基地局（ＡＰ）と帰属している無線ＬＡＮ端末装置（１３）の電波受信電力の変動を検出することにしたが、無線基地局（ＡＰ）は、無線ＬＡＮ端末装置（１３）の電波受信電力の変動量が所定の閾値以上になったと判断した場合に、第１、第２の実施形態における制御動作を開始するように構築することも可能である。また、無線基地局（ＡＰ）は、無線基地局（ＡＰ）と帰属している無線ＬＡＮ端末装置（１３）の無線通信のエラー率を測定し、その無線通信のエラー率が所定の閾値以上と判断した場合に、隠れ端末問題が発生した可能性があると判断し、第１、第２の実施形態における制御動作を開始するように構築することも可能である。
【０２４５】
なお、無線通信のエラー率とは、ＰＥＲ（Packet Error Rate）率、ＦＥＲ（Frame Error Rate）率、ＢＥＲ（Bit Error Rate）率、ＣＲＣ（Cyclic Redundancy Check）率、ＦＣＳ（Frame Check Sequence）率等が挙げられ、このＰＥＲ率と、ＦＥＲ率と、ＢＥＲ率と、ＣＲＣ率と、ＦＣＳ率と、の少なくとも１つのエラー率を測定し、その測定したエラー率が所定の閾値以上と判断した場合に、隠れ端末問題が発生した可能性があると判断することになる。
【０２４６】
なお、図１７は、無線基地局（ＡＰ）と無線ＬＡＮ（Local Area Network）端末装置（１１〜１３）と、を有して構成される無線通信システムであり、無線ＬＡＮ端末装置（１１〜１３）が既に無線基地局（ＡＰ）に帰属中に、無線ＬＡＮ端末装置（１３）が移動した場合の動作シーケンスである。
【０２４７】
なお、図１７では、第３の実施形態で説明したキャリアセンスレベル設定方法を適用している。
【０２４８】
まず、無線ＬＡＮ端末装置（１３）が移動し（ステップＳ３５０）、無線基地局（ＡＰ）と無線ＬＡＮ端末装置（１３）との間の無線通信において、無線基地局（ＡＰ）で測定される無線ＬＡＮ端末装置（１３）の電波受信電力が変動したと無線基地局（ＡＰ）が判断した場合に（ステップＳ３５１）、無線基地局（ＡＰ）及び無線ＬＡＮ端末装置（１１〜１３）での最小電波受信電力が変化した可能性があるため、無線基地局（ＡＰ）は、上述した第３の実施形態における制御動作を開始し、無線基地局（ＡＰ）は、無線ＬＡＮ端末装置（１３）の電波受信電力を収集し、該収集した電波受信電力を基に、無線ＬＡＮ端末装置（１３）の新しいキャリアセンスレベルを算出し、無線ＬＡＮ端末装置（１３）は、無線基地局（ＡＰ）から指示されたキャリアセンスレベルに設定することになる（ステップＳ３５２、Ｓ３５３）。
【０２４９】
なお、ステップＳ３５１において、無線基地局（ＡＰ）は、無線基地局（ＡＰ）と帰属している無線ＬＡＮ端末装置（１３）の電波受信電力の変動を検出することにしたが、無線基地局（ＡＰ）は、無線ＬＡＮ端末装置（１３）の電波受信電力の変動量が所定の閾値以上になったと判断した場合に、第３の実施形態における制御動作を開始するように構築することも可能である。また、無線基地局（ＡＰ）は、無線基地局（ＡＰ）と帰属している無線ＬＡＮ端末装置（１３）の無線通信のエラー率を測定し、その無線通信のエラー率が所定の閾値以上と判断した場合に、隠れ端末問題が発生した可能性があると判断し、第３の実施形態における制御動作を開始するように構築することも可能である。
【０２５０】
このように、第１〜第３の実施形態において説明したキャリアセンスレベル設定方法を、無線基地局（ＡＰ）が、既に無線基地局（ＡＰ）に帰属している無線端末装置の状態が変化したと判断した際に行うことで、無線基地局（ＡＰ）は、その無線基地局（ＡＰ）に帰属している無線端末装置の状態が変化した際の環境条件を考慮したキャリアセンスレベルの制御を行うことが可能となる。
【０２５１】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【０２５２】
例えば、上述した実施形態では、最も距離が離れている帰属無線端末装置（ＳＴＡ）との間の電波受信電力を基に、キャリアセンスレベルを設定することにしたが、この最も距離が離れている帰属無線端末装置（ＳＴＡ）を、無線基地局（ＡＰ）と無線通信を行っている帰属無線端末装置（ＳＴＡ）に変更し、その無線基地局（ＡＰ）と無線通信を行っている帰属無線端末装置（ＳＴＡ）との間の電波受信電力を基に、キャリアセンスレベルを設定するように制御することも可能である。この場合は、無線基地局（ＡＰ）が、その無線基地局（ＡＰ）と帰属している各帰属無線端末装置（ＳＴＡ）の通信状態を取得し、該取得した各帰属無線端末装置（ＳＴＡ）の通信状態を基に、無線基地局（ＡＰ）と無線通信を行っている帰属無線端末装置（ＳＴＡ）を特定し、上述した最も距離が離れている帰属無線端末装置（ＳＴＡ）を、無線基地局（ＡＰ）と無線通信を行っている帰属無線端末装置（ＳＴＡ）に変更し、その無線基地局（ＡＰ）と無線通信を行っている帰属無線端末装置（ＳＴＡ）との間の電波受信電力を基に、キャリアセンスレベルを設定するように制御することになる。なお、無線基地局（ＡＰ）と無線通信を行っている帰属無線端末装置（ＳＴＡ）を特定する際の方法は、特に限定するものではなく、無線基地局（ＡＰ）と無線通信を行っている帰属無線端末装置（ＳＴＡ）を特定することが可能であれば、あらゆる方法を適用することは可能である。
【０２５３】
また、上述した第１〜第３の実施形態の無線通信システムを構成する無線基地局（ＡＰ１、ＡＰ２）、無線端末装置（ＳＴＡ１〜３、ＳＴＡ５〜７）等の無線装置における制御動作は、ハード構成ではなく、コンピュータプログラム等のソフトウェアにより実行することも可能であり、また、上記のプログラムは、光記録媒体、磁気記録媒体、光磁気記録媒体、または半導体等の記録媒体に記録し、その記録媒体から上記プログラムを、上述した各無線装置に読み込ませることで、上述した制御動作を、各無線装置において実行させることも可能である。また、所定のネットワークを介して接続されている外部機器から上記プログラムを上述した各無線装置に読み込ませることで、上述した制御動作を、各無線装置において実行させることも可能である。
【０２５４】
また、上述した実施形態において、無線基地局（ＡＰ）が無線通信をカバーする範囲（セル）の半径ｒは、固定の値としたり、各無線端末装置（ＳＴＡ）から受信した電波受信電力を基に、動的に変更したりすることも可能である。
【産業上の利用可能性】
【０２５５】
本発明にかかる無線通信システム、無線基地局、無線端末装置、無線通信制御方法及び無線通信制御プログラムは、公衆網として適用されるＣＳＭＡ／ＣＡ方式のＷＬＡＮ等を用いた無線通信に適用可能である。また、ＣＳＭＡ／ＣＡ方式のＷＬＡＮ等を用いた企業内線網での無線通信に適用可能である。
【図面の簡単な説明】
【０２５６】
【図１】第１の実施形態における無線通信システムのシステム構成を示す図であり、無線基地局（ＡＰ１）及び無線端末装置（ＳＴＡ１〜３）の配置構成と、第１の実施形態のキャリアセンスレベル設定方法を適用した後のキャリアセンス範囲を示した図である。
【図２】本実施形態の無線通信システムを構成する無線基地局（ＡＰ）の内部構成を示す図である。
【図３】無線基地局（ＡＰ）内の電波受信電力記憶部（１０４）内に記憶される電波受信電力情報のテーブル構成を示す図である。
【図４】本実施形態の無線通信システムを構成する無線端末装置（ＳＴＡ）の内部構成を示す図である。
【図５】第１の実施形態におけるキャリアセンスレベルの設定方法を説明するための第１のシーケンスチャートであり、無線基地局（ＡＰ１）が、無線基地局（ＡＰ１）及び無線端末装置（ＳＴＡ１〜３）相互間の電波受信電力を収集し、最適キャリアセンスレベルを設定する動作シーケンスを示す第１の図である。
【図６】第１の実施形態におけるキャリアセンスレベルの設定方法を説明するための第２のシーケンスチャートであり、無線基地局（ＡＰ１）が、無線基地局（ＡＰ１）及び無線端末装置（ＳＴＡ１〜３）相互間の電波受信電力を収集し、最適キャリアセンスレベルを設定する動作シーケンスを示す第２の図である。
【図７】第１の実施形態におけるキャリアセンスレベルの設定方法を説明するための第３のシーケンスチャートであり、無線基地局（ＡＰ１）が、無線基地局（ＡＰ１）及び無線端末装置（ＳＴＡ１〜３）相互間の電波受信電力を収集し、最適キャリアセンスレベルを設定する動作シーケンスを示す第３の図である。
【図８】第２の実施形態におけるキャリアセンスレベルの設定方法を説明するための第１のシーケンスチャートであり、無線基地局（ＡＰ１）が、無線基地局（ＡＰ１）及び無線端末装置（ＳＴＡ１〜３）相互間の電波受信電力を収集し、最適キャリアセンスレベルを設定する動作シーケンスを示す第１の図である。
【図９】第２の実施形態におけるキャリアセンスレベルの設定方法を説明するための第２のシーケンスチャートであり、無線基地局（ＡＰ１）が、無線基地局（ＡＰ１）及び無線端末装置（ＳＴＡ１〜３）相互間の電波受信電力を収集し、最適キャリアセンスレベルを設定する動作シーケンスを示す第２の図である。
【図１０】第２の実施形態におけるキャリアセンスレベルの設定方法を説明するための第３のシーケンスチャートであり、無線基地局（ＡＰ１）が、無線基地局（ＡＰ１）及び無線端末装置（ＳＴＡ１〜３）相互間の電波受信電力を収集し、最適キャリアセンスレベルを設定する動作シーケンスを示す第３の図である。
【図１１】第３の実施形態における無線通信システムのシステム構成を示す図であり、無線基地局（ＡＰ２）及び無線端末装置（ＳＴＡ５〜７）の配置構成と、第３の実施形態のキャリアセンスレベル設定方法を適用した後のキャリアセンス範囲を示した図である。
【図１２】第３の実施形態におけるキャリアセンスレベルの設定方法を説明するための第１のシーケンスチャートであり、無線基地局（ＡＰ２）が、無線基地局（ＡＰ２）−無線端末装置（ＳＴＡ５〜７）間の電波受信電力を収集し、最適キャリアセンスレベルを設定する動作シーケンスを示す第１の図である。
【図１３】第３の実施形態におけるキャリアセンスレベルの設定方法を説明するための第２のシーケンスチャートであり、無線基地局（ＡＰ２）が、無線基地局（ＡＰ２）−無線端末装置（ＳＴＡ５〜７）間の電波受信電力を収集し、最適キャリアセンスレベルを設定する動作シーケンスを示す第２の図である。
【図１４】新たな無線ＬＡＮ端末装置が無線基地局に帰属した後に、無線基地局が、第１、第２の実施形態で説明したキャリアセンスレベル設定方法を適用し、無線基地局及び無線端末装置相互間の電波受信電力を収集し、最適キャリアセンスレベルを設定する動作シーケンスである。
【図１５】新たな無線ＬＡＮ端末装置が無線基地局に帰属した後に、無線基地局が、第３の実施形態で説明したキャリアセンスレベル設定方法を適用し、無線基地局−無線端末装置間の電波受信電力を収集し、最適キャリアセンスレベルを設定する動作シーケンスである。
【図１６】無線基地局に帰属中の無線ＬＡＮ端末装置が移動したときに、無線基地局が、第１、第２の実施形態で説明したキャリアセンスレベル設定方法を適用し、無線基地局及び無線端末装置相互間の電波受信電力を収集し、最適キャリアセンスレベルを設定する動作シーケンスである。
【図１７】無線基地局に帰属中の無線ＬＡＮ端末装置が移動したときに、無線基地局が、第３の実施形態で説明したキャリアセンスレベル設定方法を適用し、無線基地局−無線端末装置間の電波受信電力を収集し、最適キャリアセンスレベルを設定する動作シーケンスである。
【図１８】『隠れ端末問題』を解決するための従来の解決方法を説明するための図である。
【符号の説明】
【０２５７】
ＡＰ１、ＡＰ２    無線基地局
ＳＴＡ１〜３、ＳＴＡ５〜７  無線端末装置
１００、１０８    無線送信部
１０１、１０９    無線受信部
１０２、１１０    電波受信電力測定部
１０３、１１１    制御部
１０４、１１２    電波受信電力記憶部
１０５    最小電波受信電力判定部
１０６、１１３    キャリアセンス部
１０７、１１４    キャリアセンスレベル設定部
【図１】
2008017337.tif 000003
【図２】
2008017337.tif 000004
【図３】
2008017337.tif 000005
【図４】
2008017337.tif 000006
【図５】
2008017337.tif 000007
【図６】
2008017337.tif 000008
【図７】
2008017337.tif 000009
【図８】
2008017337.tif 000010
【図９】
2008017337.tif 000011
【図１０】
2008017337.tif 000012
【図１１】
2008017337.tif 000013
【図１２】
2008017337.tif 000014
【図１３】
2008017337.tif 000015
【図１４】
2008017337.tif 000016
【図１５】
2008017337.tif 000017
【図１６】
2008017337.tif 000018
【図１７】
2008017337.tif 000019
【図１８】
2008017337.tif 000020